(57)【要約】【課題】  ミストスクリーンを連結したときに連結部分でのミストの密度が低くなること。【解決手段】  吐出したミストＭは、ミストスクリーン連結具１００の外側面３に沿って上方に曲がって流れて当該ミストスクリーン連結具１００の上部で図中右側のミストスクリーンＳと図中左側のミストスクリーンＳとの端同士が連結する。これにより、ミストスクリーンＳがきれいに連結される。更に、梁部２においては、吐出されたミストＭが略そのまま上方に通過して前記連結されたミストスクリーンＳに合流する。以上の構成により、ミストスクリーンＳが、ミストスクリーン形成装置５０の端縁付近においてもきれいに連続的に形成されるので、画像に欠損が生じることがない。【選択図】  図４
2020034713.tif 000002
【特許請求の範囲】
【請求項１】
一のミストスクリーン形成装置と他のミストスクリーン形成装置とを、各ミストスクリーン形成装置がミストを吐出して形成するミストスクリーンが連続する方向に近接配置した状態で、前記一のミストスクリーン形成装置の端縁と他のミストスクリーン形成装置の端縁との間に渡って配置されるものであり、
一対の湾曲面又は斜面を外側上下方向に有し、前記一対の湾曲面及び斜面が前記連結方向において略対称かつ所定間隔をもって設けられていることを特徴とするミストスクリーン連結具。
【請求項２】
更に、一対の湾曲面又は斜面を内側上下方向に有することを特徴とする請求項１に記載のミストスクリーン連結具。
【請求項３】
更に、前記外側上下方向の湾曲面又は斜面を有する整流片が一対に設けられると共に当該整流片同士は、梁部により連結されていることを特徴とする請求項１または２に記載のミストスクリーン連結具。
【請求項４】
一のミストスクリーン形成装置と他のミストスクリーン形成装置とを、各ミストスクリーン形成装置がミストを吐出して形成するミストスクリーンが連続する方向に近接配置した状態で、前記一のミストスクリーン形成装置の本体端縁と他のミストスクリーン形成装置の本体端縁とが対向すると共にミストの吐出口の近傍で且つ外側上下方向に湾曲面又は斜面が設けられることを特徴とするミストスクリーン形成装置。
【請求項５】
更に、湾曲面又は斜面を内側上下方向に有することを特徴とする請求項４に記載のミストスクリーン形成装置。
【請求項６】
更に、前記湾曲面又は斜面は整流片として前記前記ミストスクリーン形成装置の近接配置される本体端縁に梁部により設けられることを特徴とする請求項４または５に記載のミストスクリーン形成装置。
【発明の詳細な説明】
【技術分野】
【０００１】
本発明は、プロジェクターなどにより霧によるスクリーンに光を投射することで静止画又は動画を表示するミストスクリーン連結具及びミストスクリーン形成装置に関するものである。
【背景技術】
【０００２】
従来から、特許文献１に開示されているようなミストディスプレイ装置が提案されている。このミストディスプレイ装置は、外乱風により液滴膜・液膜が乱れることで投影映像が乱れてしまうという課題に対し、液滴膜に投影された画像の歪みを算出する投影画像推定歪みデータ算出部と、算出された歪みを減じる補正値を算出する画像変換マトリクス生成部と、算出された補正値によって液滴膜に投影する画像を補正する補正処理部とを備えた構成により、当該課題を解決するものとしている。
【先行技術文献】
【特許文献】
【０００３】
【特許文献１】特開２０１６−４６７１１号公報
【発明の概要】
【発明が解決しようとする課題】
【０００４】
ここで、ミストディスプレイの投影面積を拡大する際、複数台のミストディスプレイを一列に並べて液滴膜を連結することが考えられる。図２４にミストディスプレイを連結する場合の例を示す。２台のミストディスプレイ９００を一列に並べて液滴膜を連結する場合、ミストディスプレイＳの液滴膜は、装置本体９０１の端部まで形成されないことから、連結部分に液滴膜が存在しない領域９０２が発生し、もしくは、上方に行くにつれて液滴膜どうしが融合することがあっても筋状の液滴密度が低い領域が発生し、ミストディスプレイＳの液滴密度の均一性が得られないという問題がある。本発明は、係る問題点を解決するためになされたものである。
【課題を解決するための手段】
【０００５】
本発明に係るミストスクリーン連結具は、一のミストスクリーン形成装置と他のミストスクリーン形成装置とを、各ミストスクリーン形成装置がミストを吐出して形成するミストスクリーンが連続する方向に近接配置した状態で、前記一のミストスクリーン形成装置の端縁と他のミストスクリーン形成装置の端縁との間に渡って配置されるものであり、一対の湾曲面又は斜面を外側上下方向に有し、前記一対の湾曲面及び斜面が前記連結方向において略対称かつ所定間隔をもって設けられていることを特徴とする。
【０００６】
上記発明において、更に一対の湾曲面又は斜面を内側上下方向に有するのが好ましい。また、前記外側上下方向の湾曲面又は斜面を有する整流片が一対に設けられると共に当該整流片同士は、梁部により連結されるようにするのが好ましい。
【０００７】
本発明に係るミストスクリーン形成装置は、一のミストスクリーン形成装置と他のミストスクリーン形成装置とを、各ミストスクリーン形成装置がミストを吐出して形成するミストスクリーンが連続する方向に近接配置した状態で、前記一のミストスクリーン形成装置の本体端縁と他のミストスクリーン形成装置の本体端縁とが対向すると共にミストの吐出口の近傍で且つ外側上下方向に湾曲面又は斜面が設けられることを特徴とする。
【０００８】
上記発明において、更に、湾曲面又は斜面を内側上下方向に有するのが好ましい。また、前記湾曲面又は斜面は整流片として前記ミストスクリーン形成装置の近接配置される本体端縁に梁部により設けられるようにするのが好ましい。
【図面の簡単な説明】
【０００９】
【図１】本発明の実施の形態１に係るミストスクリーン連結具を示す斜視図である。
【図２】図１に示したミストスクリーンを示す側面図である。
【図３】ミストスクリーン連結具をミストスクリーン形成装置に設置した状態を示す平面図である。
【図４】このミストスクリーン連結具の動作を示す説明図である。
【図５】本発明の実施の形態２に係るミストスクリーン連結具を示す側面図である。
【図６】図５に示したミストスクリーン連結具を示す平面図である。
【図７】ミストスクリーン連結具をミストスクリーン形成装置に設置した状態を示す平面図である。
【図８】このミストスクリーン連結具の動作を示す説明図である。
【図９】本発明に係るミストスクリーン連結具を示す側面図である。
【図１０】図９に示したミストスクリーン連結具を示す平面図である。
【図１１】ミストスクリーン連結具をミストスクリーン形成装置に設置した状態を示す平面図である。
【図１２】このミストスクリーン連結具の動作を示す説明図である。
【図１３】本発明の実施の形態４に係るミストスクリーン連結具を示す側面図である。
【図１４】図１３に示したミストスクリーン連結具を示す平面図である。
【図１５】ミストスクリーン連結具をミストスクリーン形成装置に設置した状態を示す平面図である。
【図１６】このミストスクリーン連結具の動作を示す説明図である。
【図１７】本発明の実施の形態５に係るミストスクリーン形成装置を示す一部斜視図である。
【図１８】図１７に示したミストスクリーン形成装置を示す一部側面図である。
【図１９】図１７に示したミストスクリーン形成装置を示す一部平面図である。
【図２０】本発明に係るミストスクリーン形成装置を示す一部側面図である。
【図２１】図２０に示したミストスクリーン形成装置を示す一部平面図である。
【図２２】このミストスクリーン形成装置の動作を示す説明図である。
【図２３】本発明のミストスクリーン連結具の変形例を示す説明図である。
【図２４】ミストディスプレイを連結する場合の例を示す説明図である。
【図Ａ１】本発明に係るミストスクリーン形成装置を示す概念図であり、（ａ）は正面図、（ｂ）は側面図である。
【図Ａ２】本発明のミストスクリーンの形成態様を示す概念図である。
【図Ａ３】本発明の実施の形態１に係るミストスクリーン形成装置を示す構成図である。
【図Ａ４】図３Ａに示したミストスクリーン形成装置の側面図である。
【図Ａ５】図Ａ３のＡ−Ａ断面図である。
【図Ａ６】図Ａ３のＢ−Ｂ断面図である。
【図Ａ７】図Ａ５の一部拡大断面図である。
【図Ａ８】ミストスクリーン形成装置の分解図であって、筐体からエア噴出装置を取り外した状態を示す三面図である。
【図Ａ９】ミストスクリーン形成装置の分解図であって、ミストガイド及びエアガイドを取り外した状態を示す外観図及び断面図である。
【図Ａ１０】ミストスクリーン形成装置の分解図であって、ミスト整流器の貯留室を取り外した状態を示す外観図及び断面図である。
【図Ａ１１】ミストスクリーン形成装置の分解図であって、中板を取り外した状態を示す外観図及び断面図である。
【図Ａ１２】本発明に係るミストスクリーン形成装置の通路模式図である。
【図Ａ１３】ガイド部の断面図及び平面図である。
【図Ａ１４】ガイド部の変形例を示す平面図である。
【図Ａ１５】本発明の実施の形態２に係るミストスクリーン形成装置を示す概念構成図である。
【図Ａ１６】図Ａ１５に示したミストスクリーン形成装置を示す概念図である。
【図Ａ１７】ガイド部を示す模式図、ミストスクリーンの形成態様を示す模式図である。
【図Ａ１８】本発明の実施の形態３に係るミストスクリーン形成装置を示す一部構成図である。
【図Ａ１９】図Ａ１８に示したガイド部により形成したミストスクリーンの構造を示す模式図である。
【図Ａ２０】本発明の実施の形態４に係るミストスクリーン形成装置を示す構成図である。
【発明を実施するための形態】
【００１０】
（実施の形態１）
図１は、本発明の実施の形態１に係るミストスクリーン連結具を示す斜視図である。図２は、図１に示したミストスクリーンを示す側面図（ａ）及び平面図（ｂ）である。図３は、ミストスクリーン連結具をミストスクリーン形成装置に設置した状態を示す平面図である。このミストスクリーン連結具１００は、一対の整流片１同士を梁部２で連結した構造である。各整流片１は、平面視で扇形状であり、側面視で半円弧状である。より具体的には、各整流片１は、イチョウの葉形状の平板が所定の曲率で湾曲して外側上下方向（図中矢印で示す）に湾曲面３（外側面３）を形成すると共に整流片１同士は直線的な梁部２により連結すると共に前記湾曲した板状体が次第に収束した形状となって当該梁部２に一体化している。係る形状にすることで、前記一対の整流片１の湾曲面３が略対称かつ所定間隔をもって設けられる。
【００１１】
また、各整流片１は、板状体を湾曲させていることから、内側上下方向（図中矢印で示す）に湾曲面４が形成される。この内側の湾曲面４は、ミストが付着して水滴になった場合に、当該水滴が湾曲面４を伝って下方に流す。
【００１２】
整流片１と整流片１との間隔は、ミストスクリーン形成装置５０の本体５１の端部、具体的には吐出口の端縁５０ａから本体カバーの端縁５０ｂまでのミストが吐出しない部分ＮＭの２倍以上である。別の観点では、ミストスクリーン形成装置５０を近接配置した場合に、一のミストスクリーン形成装置５０Ａの吐出口５０ｃの端縁５０ｂと他のミストスクリーン形成装置５０Ｂの吐出口５０ｃの端縁５０ｂとの間隔より大きいものである。その一方、整流片１同士の間隔が広すぎるとミストスクリーンがうまく連結しないので、ミストスクリーンのサイズ等に応じて適切に決定するものとする。
【００１３】
整流片１は、所定の面積を有することで吐出するミストの流れが湾曲面３に沿って流れるように、その曲率や半径を決定する。また、内側面４にミストが当たって結露しても、当該結露に起因した水滴が内側面４に沿って下方に流れるように、当該内側面４の面積や形状を詳細に決定するものとする。更に、吐出口５０ｃから吐出したミストが梁部２を通過しやすいように、当該梁部２は、ミストの流れ方向に直交する方向の断面積が小さくなる形状とする。好ましくは、棒状又は上下方向となる短冊状とする。
【００１４】
即ち、前記整流片１は、外側面３を流れるミストを外側面３に沿って曲げて上方に流す機能を奏するために所定の面積が必要である。また、内側面４に当たったミストが表面で結露しても水滴は梁部２に至る前に落下するようになり、梁部２は、一対の整流片１を支持すると共にミストの流れをほとんど乱さずに通過させ、且つ、結露を起こさないように、軸状または板状となる。そして、梁部２は、少なくとも前記一のミストスクリーン形成装置５０Ａの吐出口５０ｃの端縁５０ｂと他のミストスクリーン形成装置５０Ｂの吐出口５０ｃの端縁５０ｂとの間隔より大きく、よって吐出口５０ｃの端縁５０ｂと端縁５０ｂとの隙間に渡って配置できる。梁部２では雫が生じないことから、端縁５０ｂと端縁５０ｂとの隙間上方に位置しても当該隙間に雫が落下することがなく、このため、ミストスクリーン形成装置５０の本体の間に水がたれて床が濡れることがない。
【００１５】
なお、前記梁部２は、整流片１同士を連結してハンドリングしやすくすると共に、ミストが付着して水滴となって垂れないようにする機能を備えたものであるから、当該機能を有するものであれば図示したような直線的なものに限定されるものではない。また、梁部２と板状体との連結部分に下垂部を形成して、梁部２の中央付近に水滴が移動することがないようにしても良い（図示省略）。
【００１６】
図４は、このミストスクリーン連結具の動作を示す説明図である。まず、吐出するミストスクリーンが連続面を形成するように２台のミストスクリーン形成装置５０を横並びに配置する。このとき、一のミストスクリーン形成装置５０Ａの本体５１と他のミストスクリーン形成装置５０Ｂの本体５１同士を近接配置して接触させ、吐出したミストスクリーンＳ同士を近接させて一つの大きなスクリーンのように連結させる。次に、ミストスクリーン連結具１００を吐出口５０ｃの上であって、前記一のミストスクリーン形成装置５０Ａの本体端縁５０ｂと他のミストスクリーン形成装置５０Ｂの本体端縁５０ｂとの隙間に渡って跨ぐように載置する。
【００１７】
次に、吐出口５０ｃからミストＭを吐出する。吐出したミストＭは、ミストスクリーン連結具１００の外側面３に沿って上方に曲がって流れて当該ミストスクリーン連結具１００の上部で図中右側のミストスクリーンＳと図中左側のミストスクリーンＳとの端同士が連結する。これにより、ミストスクリーンＳがきれいに連結される。更に、梁部２においては、吐出されたミストＭが略そのまま上方に通過して前記連結されたミストスクリーンＳに合流する。
【００１８】
以上の構成により、ミストスクリーンＳが、ミストスクリーン形成装置５０の端縁付近においてもきれいに連続的に形成されるので、画像に欠損が生じることがない。更に、ミストＭが整流片１の内側面４に当たって結露した場合でも、水滴が整流片１の内側面４に沿って流れて吐出口５０ｃに落ちる（水滴の流れ方向は図中矢印で指示）。このため、ミストスクリーン形成装置５０の連結部分に水滴が垂れることがない。
【００１９】
（実施の形態２）
図５は、本発明の実施の形態２に係るミストスクリーン連結具を示す側面図である。図６は、図５に示したミストスクリーン連結具を示す平面図である。このミストスクリーン連結具２００は、断面が半円形の湾曲板状体２０１を２個直線的に並べ且つその湾曲板状体２０１の頂部と頂部とに同様の湾曲板状体２０１を載せるようにした構造である。湾曲板状体２０１の幅は、ミストスクリーンＳの幅に略等しいものとするのが好ましい。
【００２０】
ミストスクリーン連結具２００の長さは、好ましくは、ミストスクリーン形成装置５０の端部、具体的には吐出口５０ｃの端縁５０ａから本体カバーの端縁５０ｂまでのミストが吐出しない部分ＮＭの２倍以上である。別の観点では、ミストスクリーン形成装置５０を近接配置した場合に、一のミストスクリーン形成装置５０Ａの吐出口５０ｃの端縁５０ｂと他のミストスクリーン形成装置５０Ｂの吐出口５０ｃの端縁５０ｂとの間隔より大きいものである。
【００２１】
また、湾曲板状体２０１の中央側の下端には、接続板２０２が設けられる。この接続板２０２の裏面には粘着テープ等の貼着面が設けられる。また、接続板２０２の長手方向の両端には壁部２０９が形成される。接続板２０２の長さは、ミストスクリーン連結具２００の長さより小さいものとする。
【００２２】
図７は、ミストスクリーン連結具をミストスクリーン形成装置に設置した状態を示す平面図である。図８は、このミストスクリーン連結具の動作を示す説明図である。まず、２台のミストスクリーン形成装置５０を、吐出するミストスクリーンが連続面を形成するように横並びに配置する。このとき、一のミストスクリーン形成装置５０Ａの本体５１と他のミストスクリーン形成装置５０Ｂの本体５１同士を近接配置（接触状態を含む。以下同じ）させる。次に、ミストスクリーン連結具２００を吐出口５０ｃの上であって、前記一のミストスクリーン形成装置５０Ａの本体端縁５０ｂと他のミストスクリーン形成装置５０Ｂの本体端縁５０ｂとの隙間に渡って跨ぐように載置する。このとき、ミストスクリーン連結具２００を前記貼着面をもって本体端縁５０ｂに貼り付けて固定する。
【００２３】
次に、吐出口５０ｃからミストＭを吐出する。吐出したミストＭは、ミストスクリーン連結具２００の湾曲板状体２０１の外側面２０３に沿って上方に流れて当該ミストスクリーン連結具２００の上部で図中右側のミストスクリーンＳと図中左側のミストスクリーンＳとの端同士が連結する。これにより、ミストスクリーンＳ同士が、ミストスクリーン形成装置５０の端縁付近においてもきれいに連続的に形成されるので、画像に欠損が生じることがない。
【００２４】
更に、ミストＭが湾曲板状体２０１の内側面２０４に当たって結露した場合でも、水滴が内側面２０４に沿って流れて吐出口５０ｃに落ちる。また、接続板２０２の上に水滴が落ちた場合でも当該接続板２０２の両端部から吐出口５０ｃに流れると共に、前記壁部２０９によりミストスクリーン形成装置５０の連結部分に水滴が垂れることがない。
【００２５】
（実施の形態３）
図９は、本発明に係るミストスクリーン連結具を示す側面図である。図１０は、図９に示したミストスクリーン連結具を示す平面図である。このミストスクリーン連結具３００は、断面が半円形の湾曲板状体３０１からなる。湾曲板状体３０１の幅は、ミストスクリーンの幅に略等しいものとするのが好ましい。
【００２６】
ミストスクリーン連結具３００の長さは、好ましくは、ミストスクリーン形成装置５０の端部、具体的には吐出口５０ｃの端縁５０ａから本体カバーの端縁５０ｂまでのミストが吐出しない部分ＮＭの２倍以上である。別の観点では、ミストスクリーン形成装置５０を近接配置した場合に、一のミストスクリーン形成装置５０Ａの吐出口５０ｃの端縁５０ｂと他のミストスクリーン形成装置５０Ｂの吐出口５０ｃの端縁５０ｂとの間隔より大きいものである。
【００２７】
図１１は、ミストスクリーン連結具をミストスクリーン形成装置に設置した状態を示す平面図である。図１２は、このミストスクリーン連結具の動作を示す説明図である。まず、２台のミストスクリーン形成装置５０を、吐出するミストスクリーンが連続面を形成するように横並びに配置する。このとき、一のミストスクリーン形成装置５０Ａの本体５１と他のミストスクリーン形成装置５０Ｂの本体５１同士を近接配置させる。次に、ミストスクリーン連結具３００を吐出口５０ｃの上であって、前記一のミストスクリーン形成装置５０Ａの本体端縁５０ｂと他のミストスクリーン形成装置５０Ｂの本体端縁５０ｂとの隙間に渡って跨ぐように載置する。
【００２８】
次に、吐出口５０ｃからミストＭを吐出する。吐出したミストＭは、ミストスクリーン連結具３００の湾曲板状体３０１の外側面３０３に沿って上方に曲がって流れて当該ミストスクリーン連結具３００の上部で図中右側のミストスクリーンＳと図中左側のミストスクリーンＳとの端同士が連結する。
【００２９】
これにより、ミストスクリーンＳ同士が、ミストスクリーン形成装置５０の端縁付近においてもきれいに連続的に形成されるので、画像に欠損が生じることがない。更に、ミストＭが湾曲板状体３０１の内側面３０４に当たって結露した場合でも、水滴が内側面３０４に沿って流れて吐出口５０ｃに落ちる。
【００３０】
（実施の形態４）
図１３は、本発明の実施の形態４に係るミストスクリーン連結具を示す側面図である。図１４は、図１３に示したミストスクリーン連結具を示す平面図である。このミストスクリーン連結具４００は、断面が半円形ないし蒲鉾形の中実体からなる。中実体の幅は、ミストスクリーンの幅に略等しいものとするのが好ましい。
【００３１】
ミストスクリーン連結具４００の長さは、好ましくは、ミストスクリーン形成装置５０の端部、具体的には吐出口５０ｃの端縁５０ａから本体カバーの端縁５０ｂまでのミストが吐出しない部分ＮＭの２倍以上である。別の観点では、ミストスクリーン形成装置５０を隣接配置した場合に、一のミストスクリーン形成装置５０Ａの吐出口５０ｃの端縁５０ｂと他のミストスクリーン形成装置５０Ｂの吐出口５０ｃの端縁５０ｂとの間隔より大きいものである。
【００３２】
図１５は、ミストスクリーン連結具をミストスクリーン形成装置に設置した状態を示す平面図である。図１６は、このミストスクリーン連結具の動作を示す説明図である。まず、２台のミストスクリーン形成装置５０を、吐出するミストスクリーンが連続面を形成するように横並びに配置する。このとき、一のミストスクリーン形成装置５０Ａの本体５１と他のミストスクリーン形成装置５０Ｂの本体５１同士を近接配置させる。次に、ミストスクリーン連結具４００を吐出口５０ｃの上であって、前記一のミストスクリーン形成装置５０Ａの本体端縁５０ｂと他のミストスクリーン形成装置５０Ｂの本体端縁５０ｂとの隙間に渡って跨ぐように載置する。
【００３３】
次に、吐出口５０ｃからミストＭを吐出する。吐出したミストＭは、ミストスクリーン連結具４００の中実体の外側面４０３に沿って上方に曲がって流れて当該ミストスクリーン連結具４００の上部で図中右側のミストスクリーンＳと図中左側のミストスクリーンＳとの端同士が連結する。これにより、ミストスクリーンＳ同士が、ミストスクリーン形成装置５０の端縁付近においてもきれいに連続的に形成されるので、画像に欠損が生じることがない。
【００３４】
（実施の形態５）
図１７は、本発明の実施の形態５に係るミストスクリーン形成装置を示す一部斜視図である。図１８は、図１７に示したミストスクリーン形成装置を示す一部側面図である。図１９は、図１７に示したミストスクリーン形成装置を示す一部平面図である。このミストスクリーン形成装置６０は、実施の形態１に係るミストスクリーン連結具１００が二分割されてミストスクリーン形成装置６０の本体６１に設けた構成である。
【００３５】
このミストスクリーン形成装置６０は、吐出口５０ｃの端縁５０ａの近傍に整流片１を配置し、この整流片１は、梁部６２で本体６１の端縁５０ｂの中央付近に固定された構造である。各整流片１は、平面視で扇形状であり、側面視で半円弧状である。より具体的には、各整流片１は、イチョウの葉形状の平板が所定の曲率で湾曲して外側上下方向（図中矢印で示す）に湾曲面３（外側面３）を形成すると共に前記湾曲した平板が次第に収束した形状となって当該梁部６２に一体化している。当該梁部６２は、水平方向に延出すると共に端縁５０ｂの位置で下方に曲がり本体６１に固定される。
【００３６】
また、各整流片１は、板状体を湾曲させていることから、内側上下方向（図中矢印で示す）に湾曲面４が形成される。この内側の湾曲面４は、ミストが付着して水滴になった場合に、当該水滴が内側面４を伝って下方に流す。
【００３７】
整流片１と本体６１の端縁５０ｂとの間隔は、吐出口５０ｃの端縁５０ａから本体カバーの端縁５０ｂまでのミストが吐出しない部分ＮＭ以上である。別の観点では、ミストスクリーン形成装置６０を隣接配置した場合に、一のミストスクリーン形成装置５０Ａの吐出口５０ｃの端縁５０ｂと他のミストスクリーン形成装置５０Ｂの吐出口５０ｃの端縁５０ｂとの間隔の半分より大きいものである。
【００３８】
整流片１は、所定の面積を有することで吐出するミストの流れが湾曲面３の上面に沿って流れるようにその曲率や半径を決定する。また、内側面４にミストが当たって結露しても、当該結露に起因した水滴が内側面４に沿って下方に落下するように、当該内側面４の面積や形状を詳細に決定するものとする。更に、吐出口５０ｃから吐出したミストが梁部６２の上方に通過しやすいように当該梁部６２は、ミストの流れ方向に直交する方向の断面積を小さくなる形状とする。好ましくは、棒状又は上下方向となる短冊状とする。
【００３９】
即ち、前記整流片１は、外側面３を流れるミストを湾曲面３に沿って曲げて上方に流す機能を奏するために所定の面積が必要であり、一方で、内側面４を流れるミストが表面で結露しても水滴は梁部６２に至る前に落下するようになり、梁部６２は、整流片１を支持すると共にミストの流れをほとんど乱さずに通過させ、且つ、結露を起こさないように、軸状または板状となる。
【００４０】
ミストスクリーン連結具の動作を説明する。まず、吐出するミストスクリーンが連続面を形成するように２台のミストスクリーン形成装置６０を横並びに配置する。このとき、一のミストスクリーン形成装置６０Ａの本体６１と他のミストスクリーン形成装置６０Ｂの本体６１同士を近接配置して接触させる。
【００４１】
この状態で、前記一のミストスクリーン形成装置６０Ａの本体端縁５０ｂと他のミストスクリーン形成装置６０Ｂの本体端縁５０ｂとが対向すると共に、ミストの吐出口５０ｃの近傍に外側上下方向に湾曲面３を有する整流片１が位置することとなる。また、係る構造にすることで、前記一対の整流片１の湾曲面３が略対称かつ所定間隔をもって位置することになる。
【００４２】
次に、吐出口５０ｃからミストＭを吐出する。吐出したミストＭは、整流片１の外側面３に沿って上方に曲がって流れてその上部で図中右側のミストスクリーンＳと図中左側のミストスクリーンＳとの端同士が連結する。更に、梁部６２においては、吐出されたミストＭがそのまま上方に通過して前記連結されたミストスクリーンＳに合流する。
【００４３】
これにより、ミストスクリーンＳが、ミストスクリーン形成装置５０の端縁付近においてもきれいに連続的に形成されるので、画像に欠損が生じることがない。更に、ミストＭが整流片１の内側面４に当たって結露した場合でも、水滴が整流片１の内側面４に沿って流れて吐出口５０ｃに落ちる（水滴の流れ方向は図中矢印で指示）。このため、ミストスクリーン形成装置６０の連結部分に水滴が垂れることがない。
【００４４】
更に、係る構成の場合、整流片１が本体６１に固定されていることから、ミストスクリーン形成装置６０を正しく一列に並べるだけで、ミストスクリーンＳをきれいに連結できる。なお、整流片１は、本体６１の両側に設けられる（もう一方は図示省略）。
【００４５】
（実施の形態６）
図２０は、本発明に係るミストスクリーン形成装置を示す一部側面図である。図２１は、図２０に示したミストスクリーン形成装置を示す一部平面図である。このミストスクリーン形成装置７０は、実施の形態３に係るミストスクリーン連結具３００が二分割されてミストスクリーン形成装置７０の本体７１に整流片７２として一体化した構成である。
【００４６】
整流片７２は、断面が帆形状の湾曲板状体であり、垂直方向に延びた脚部７３が本体７１に取り付けられる。整流片７２は、所定の面積を有することで吐出するミストの流れが湾曲面３０３の上面に沿って流れるようにその曲率や半径を決定する。また、内側面３０４にミストが当たって結露しても、当該結露に起因した水滴が内側面３０４に沿って下方に流れるように、当該内側面３０４の面積や形状を詳細に決定するものとする。
【００４７】
図２２は、このミストスクリーン形成装置の動作を示す説明図である。まず、吐出するミストスクリーンが連続面を形成するように２台のミストスクリーン形成装置７０を横並びに配置する。このとき、一のミストスクリーン形成装置７０Ａの本体７１と他のミストスクリーン形成装置７０Ｂの本体７１同士を近接配置して接触させる。
【００４８】
この状態で、前記一のミストスクリーン形成装置７０Ａの本体端縁５０ｂと他のミストスクリーン形成装置７０Ｂの本体端縁５０ｂとが対向すると共に、ミストの吐出口５０ｃの近傍で且つ外側上下方向に湾曲面３０３を有する整流片７２が位置することとなる。また、係る構造にすることで、前記一対の整流片７２の湾曲面３０３が略対称かつ所定間隔をもって位置することになる。
【００４９】
次に、吐出口５０ｃからミストＭを吐出する。吐出したミストＭは、整流片７２の外側面３０３に沿って上方に曲がって流れてその上部で図中右側のミストスクリーンＳと図中左側のミストスクリーンＳとの端同士が連結する。これにより、ミストスクリーンＳが、ミストスクリーン形成装置７０の端縁付近においてもきれいに連続的に形成されるので、画像に欠損が生じることがない。
【００５０】
更に、ミストＭが整流片７２の内側面３０４に当たって結露した場合でも、水滴が整流片１の内側面３０４に沿って流れて吐出口５０ｃに落ちる（水滴の流れ方向は図中矢印で指示）。このため、ミストスクリーン形成装置７０の連結部分に水滴が垂れることがない。
【００５１】
係る構成の場合、整流片７２が本体７１に固定されていることから、ミストスクリーン形成装置５０を正しく並べるだけで、ミストスクリーンＳをきれいに連結できる。整流片７２は、本体７１の両側に設けられる（図示省略）。
【００５２】
（変形例）
上記実施の形態１〜６において湾曲面は、斜面としても良い。図２３は、本発明のミストスクリーン連結具の変形例を示す説明図であり、（ａ）は斜視図、（ｂ）は側面図、（ｃ）は平面図である。このミストスクリーン連結具９０は、実施の形態１に係るミストスクリーン連結具１００の整流片１の形状が、平面視で三角形状であり、側面視で斜め直線状になったものである。この整流片９１は、梁部２により対称に所定間隔をもって支持された状態で外側上下方向及び内側上下方向で斜面９３，９４を形成する。
【００５３】
外側上下方向の斜面９３は、ミストを斜面９３に沿って曲げて上方に流す機能を奏する。また、内側の斜面９４は、ミストが付着して水滴になった場合に、当該水滴が斜面９４を伝って下方に流す。このように、本発明において、湾曲面と斜面とは略同じ機能を備えたものとなる。実施の形態２〜６に係る湾曲面を斜面に代えた構成は図示省略する。
【００５４】
（ミストスクリーンの構成例）
次に、上記ミストスクリーン連結具を用いるミストスクリーン形成装置の一例を具体的に説明する。なお、以下に記す参照符号は図Ａ１以下の図中に示した参照符号を示すものとする。本発明の実施の形態１〜４に係るミストスクリーン連結具は、以下のミストスクリーン形成装置を横並びに配置する際に以下に説明するミスト層ＭＳを連結するものとして使用するのが好ましい。また、本発明の実施の形態５および６に係るミストスクリーン形成装置として以下に示す構成を備えたものを用いることで、安定したミストスクリーンをきれいに連結できるようになる。
【００５５】
図Ａ１は、本発明に係るミストスクリーン形成装置を示す概念図であり、（ａ）は正面図、（ｂ）は側面図である。図Ａ２は、本発明ミストスクリーンの形成態様を示す概念図である。このミストスクリーン形成装置１０００は、装置の上方にミストスクリーンＳを形成するものであり、水タンク１００１から供給された水を用いてミストを発生させるミスト発生装置１と、前記発生させたミストを整流するミスト整流器２と、整流後のミストを上方の空間上に所定のスクリーン形状で吐出させるミストガイド３と、エアを上方に噴出すると共に前記エアを所定のスクリーン形状で前記ミストと同方向に噴出するエアガイド４を前記ミストガイド３の両側に設けたエア噴出装置５とから構成される。なお、このミストスクリーンＳに対しては汎用のプロジェクターＰにより画像を投射する。
【００５６】
図Ａ２に示したように、形成されるミストスクリーンＳは、装置上方にスクリーン状ないし膜状にミストが噴出されると共にその両側に膜状のエアが噴出されて、スクリーン厚さ方向でエア層ＡＳ、ミスト層ＭＳ、エア層ＡＳからなる三層構造を形成する。エア層ＡＳでミスト層ＭＳを挟むことで、ミストが上方（流れの下流）で拡散することを防止できるので、ミストスクリーンＳを安定化でき、映像をきれいに形成できる。本発明の具体的な実施の形態を以下に示す。
【００５７】
図Ａ３は、本発明の実施の形態１に係るミストスクリーン形成装置を示す構成図である。図Ａ４は、図Ａ３に示したミストスクリーン形成装置の側面図である。図Ａ５は、図Ａ３のＡ−Ａ断面図である。図Ａ６は、図Ａ３のＢ−Ｂ断面図である。このミストスクリーン形成装置１００は、本体筐体１０１の内部下方中央に配置されたミスト発生装置１と、当該ミスト発生装置１の上部に配置された前記発生させたミストを整流するミスト整流器２と、当該ミスト整流器２の上部に配置された整流後のミストを上方の空間上にスクリーン状に噴出させるミストガイド３と、前記ミスト発生装置１の両側に配置され且つエアを上方に噴出すると共に前記エアをスクリーン状に噴出するエアガイド４を前記ミストガイド３の両側に設けたエア噴出装置５とから構成される。これらは前記本体筐体に内設される。本体筐体１０１は、金属板で形成された全体が一方向に長い略直方体であり上部の長手方向が斜面１０１ａとなる。エアガイド４とミストガイド３によりガイド部６が構成される。
【００５８】
上記各図及び図Ａ７の一部拡大断面図に示すように、前記ミスト発生装置１は、発生したミストを一時的に貯留する全体が一方向に長い直方体の筐体１１と、当該筐体１１の下部に配置されたミストを発生させる超音波振動子駆動ユニット１２と、タンク１２の上部で且つ超音波振動子１３の直上に設けられると共に全体が略筒状であり、側面視にて円錐台形状で側面に超音波振動子１３に噴霧液を供給させるための穴１５を有し上下開口した噴霧ノズル１４と、前記筐体１１の側面の両側に設けた遠心ファン４０とを有する。前記１１の底には前記１２と１４が沈む程度の水位まで噴霧液が貯留され、前記１４の下に取付けられた超音波振動子１３によって噴霧液がミスト化される。前記筐体１１内は、仕切り板１５により二分割される。
【００５９】
図Ａ８乃至図Ａ１１は、ミストスクリーン形成装置の分解図である。図Ａ８は、筐体からエア噴出装置を取り外した状態を示す三面図である。図Ａ９−１及び図Ａ９−２は、ミストガイド及びエアガイドを取り外した状態を示す外観図及び断面図である。図Ａ１０は、ミスト整流器の貯留室を取り外した状態を示す外観図及び断面図である。図Ａ１１は、中板を取り外した状態を示す外観図及び断面図である。
【００６０】
図Ａ１１（Ｃ）及び（ｄ）に、ミスト発生装置１との隔壁となる天板を露出した状態を示す。このように、前記筐体１１の上部は、ミスト発生装置１との連結のため天板１６に矩形の開口１７が設けられる。この開口１７は、長手方向の中心軸に対して一方側に偏在する。また、当該筐体１１の側面の両側に遠心ファン４０を設けたのは、分割した筐体１１内の各区画にそれぞれエアを送り込むためである。また、前記超音波振動子１３には前記１２から所定周波数の電力が供給される（図示省略）。また、筐体１１の下部には給水口が接続され、当該給水口はポンプを介して噴霧液タンク１００１に接続される（図示省略）。
【００６１】
ミスト発生装置１の上部には、ミスト整流器２が配置されている。ミスト整流器２は、図Ａ８乃至図Ａ１１に示すように、通路室２１と貯留室２２とからなり、短手方向の断面形状が略三角形ないし山形である。ミスト整流器２は、図Ａ１２の通路模式図や図Ａ９−２（ｄ）に示すように、内部でミストの通路２３を形成しており、具体的には長手方向略中央部分から左右両端方向に通路２３ａが形成され、その両端で折り曲げられて反転し、隔壁２４を介して前記通路２３ａと隣接する通路２３ｂが形成される。
【００６２】
換言すれば、長手方向直方体の長手方向中央に仕切り板（隔壁２４）が設けられ且つ当該仕切り板が両端で開放され、ミストが中央位置から両側に流れ再び中央方向に戻る通路２３を形成する。かかる通路２３を形成するため、ミスト整流器２の筐体２１の内部は、中央長手方向の中央に隔壁２４が設けられ、その両端は筐体２１の両端側面に対して空隙を形成し、且つこの筐体２０の長手方向両端には水平方向に湾曲してミストの流れをよくする湾曲板２５が設けられる。
【００６３】
より詳細には、図Ａ１０（ｃ）に示すように、筐体２１の天板２５の下面には、前記隔壁２４が設けられる。また、隔壁２４は、中板２６の長手方向中央に設けられる。更に、図Ａ１１（ｄ）に示すように、中板２６を取り外すと前記筐体２１の底板１６が露出して、前記導入口２８（開口１７）が露出する。
【００６４】
次に、前記ミスト発生装置１の開口１７と連結する部分には、当該開口１７に被さるように且つ所定形状の矩形のミスト導入口２８が設けられた底板２７が接続される。そして、前記ミスト導入口２８は、底板２７の長手方向隔壁の片側に位置する。また、図Ａ１０（ｄ）に示すように、筐体２１の中板２６には、複数の穴２９が略直線状に設けられる。この穴２９は、長手方向中央が小さく、両端部にいくにつれて大きくなる。これは、両端部から流れてくるミストが通路中央でぶつかることから当該通路中央での圧力が高くなるため、当該通路中央の穴２９を小さくし、中央に比べて圧力が低い両端側の穴２９を大きくすることで、上部に設けた貯留室２２へのミストの移動を均一化するためである。
【００６５】
最も中央位置の穴２９と最も端部側の穴２９との間には、面積比で２倍から３倍の差を設けるのが好ましい。このようにすれば、圧力の差が通路２３内で生じても、貯留室２２へのミストの移動を均一に行える。また、本実施の形態では、穴２９は長手方向左右対称に４個ずつであり、穴２９と穴２９との間隔は、第一の穴２９ａと第二の穴２９ｂとの間隔が、第二の穴２９ｂと第三の穴２９ｃとの間隔、第三の穴２９ｃと第四の穴２９ｄとの間隔よりも広い。これは、中央に穴２９を寄せると、ミストが中央に集中しすぎるためである。また、中央の第一の穴２９ａから第四の穴２９ｄまで、穴２９の短手方向の位置は略一致する。後述する吐出口の略直下に寄せるためである。
【００６６】
貯留室２２は、例えば図Ａ９−２（ｃ），（ｄ）に示すように、断面が略三角形状でありその頂部には帯状の吐出口７１が設けられる。吐出口７１の短手方向の寸法（厚さ）がミストスクリーンＳの投影面の厚さとなる。貯留室２２は、断面を略三角形又は山形にすることで、滞留するミストが生じ難くなる。そして、吐出口７１を絞ることで所望の流速を得る。吐出口７１の厚さ（帯幅）は、ミストスクリーンＳが形成できるだけの厚さが必要であり、反対に厚すぎるのも好ましくない。特に、背面投射型のスクリーンとして用いる場合、映像がぼやけてしまうので、吐出口７１の厚さは、少なくとも投射範囲で均一な厚さになるようにすると共にミストの流速も当該厚さを保持できる速度になるように設定する。
【００６７】
前記エア噴出装置５は、図Ａ５に示すように、前記ミスト発生装置１の両側に配置されている。エア噴出装置５は、ミストを含まないエアを上方に噴出する装置であり、前記ミスト発生装置１に連結するように設けた筐体５１と、筐体５１の側面に設けた複数の軸流ファン５２と、筐体５１の上部に開口したエア噴出口５３とから構成される。エア噴出口５３は、前記本体筐体１０１の形状に合わせて傾斜しており、且つ、前記貯留室２２の山形形状の斜面に沿った形となる。このエア噴出装置５は、ミスト発生装置１により両側に略分離した構造になるが、図Ａ６に示すように、ミスト発生装置１の遠心ファン４０の周囲の空間において内部空間が連結しており、よって前記軸流ファン５２による風は、両方のエア噴出装置５の筐体５１内に供給される。これにより、エア噴出装置５から噴出するエアがより均一になる。
【００６８】
なお、上記エア噴出装置５及びミスト発生装置１は、本体筐体１０１内に構成できれば、筐体同士を個別独立したものにしても良いし、一部の板金が共用になる構造であっても良い。即ち、ミスト発生装置１の両側にエア噴出装置５を構成できれば、具体的な筐体の構造は同図に示す例に限定されない。
【００６９】
ミストガイド３は、図Ａ６に示すように、前記ミスト整流器２の吐出口７１に連設されている。また、ミストガイド３は、図Ａ１３の拡大図（同図（ａ）が断面図、（ｂ）が一部平面図である。）に示すように、その両側にエア噴出装置５のエアガイド４を構成する。同図の例では、ミストガイド３及びエアガイド４が一体構成となったガイド部６として構成されており、正六角形の筒状体を多数規則的に並べたように形成したハニカム構造体となる。筒状体のひとつひとつがガイドの役割を備えており、本構成では、前記吐出口７１の直上に位置する筒状体がミストガイド３となり（図Ａ１３（ｂ）では一点鎖線で囲った部分）、前記エア噴出口５３の直上に位置する筒状体がエアガイド４となる。
【００７０】
ハニカム構造の厚さ（筒状体の長さ）は、乱れた状態で侵入してきたミスト及びエアをガイドして流れを整え、ガイド部６の直上に噴出できるように設定するものとする。これにより、ミストスクリーンＳは、図Ａ２に示したように、エア層ＡＳ、ミスト層ＭＳ、エア層ＡＳの三層構造となって噴出される。同図の構成では、ミスト層ＭＳの厚さに対してエア層ＡＳの厚さを大きくしている。具体的には、ミスト層ＭＳの２倍以上（１０倍以下）の厚さのエア層ＡＳを形成する。ミスト層ＭＳが厚いと背面投射による画像形成時に画像を視認し難くなるため、薄いほうが好ましい。
【００７１】
ミストガイド３は、断面が六角形の筒状体からなるハニカム構造に限定されない。例えば、図Ａ１４（ａ）に示すように、断面が四角形状の筒状体６１を多数規則的に並べたハニカム構造にしても良い。また、図Ａ１４（ｂ）に示すように、断面形状が三角形状の筒状体６２を多数規則的に並べたハニカム構造でもよい。更に、図Ａ１４（ｃ）に示すように、内部に整流フィン６３を設けた帯状の筒状体６４を幅方向に連接したハニカム構造でもよい。なお、本願のハニカム構造には、少なくとも図Ａ１４に示す構造を含むものとする。ミストガイド３の高さは、ミストおよびエアを安定した流れにできるだけの寸法が必要である。各筒状体の断面積は、小さくすることでガイド効果が高まるが、小さくしすぎると筒状体内に付着した水滴によってミスト流れが阻害されるため、２０ミリ平方メートル〜４０ミリ平方メートルとするのが好ましい。
【００７２】
また、このミストスクリーン形成装置１００は、ミスト発生装置１のミストの発生と遠心ファン４０の駆動の制御を行うミスト制御部と、エア噴出装置５の軸流ファン５２の駆動制御を行うエア制御部とを有する。ミスト制御部は、前記筐体１１に取付けられた水位センサ（図示省略）の出力によって筐体１１内の水位を検知しながらポンプを駆動して筐体１１内の水位を一定範囲内に制御すると共に、超音波振動子駆動ユニット１２へ電力の供給を行いミストの発生量を調整する。また、風量調整可能な遠心ファン４０の駆動を行い、吐出口７１からのミスト吐出量や速度を制御する。エア制御部は、軸流ファン５２の駆動を制御することでエア噴出口５３から噴出するエアの量や速度を調整する。
【００７３】
次に、このミストスクリーン形成装置１００の動作について説明する。スクリーンを形成するにあたり、まず噴霧液タンク１００１からポンプを経由して筐体１１内に水を供給し、超音波振動子駆動ユニット１２を駆動して筐体１１内でミストを発生させる。このミストは噴霧ノズル１４の先端から筐体１１内に噴出する。筐体１１内には、遠心ファン４０により強力にエアが導入されている。筐体１１内のミストは、上部の開口１７（ミストの導入口２８）からミスト整流器２内に移動する。
【００７４】
ミスト整流器２内に移動したミストは、内部の通路２３をまず中央付近から左右の両端に向かって流れ、当該両端の湾曲板２５で滑らかに反転して再び中央に戻る。そして、両側からのミスト流は通路２３の中央付近でぶつかり合う。この通路２３の流れの中で、通路２３の上部に設けた複数の穴２９からミストが貯留室２２に移動する。当該複数の穴２９は、両端側のものが面積が大きく、中央にいくにしたがって小さくなるので、貯留室２２には、均一にミストが供給される。ミストが貯留室２２に溜まると、その内圧によりミストが吐出口７１から一定の流速をもって吐出される。吐出されたミストは、ミストガイド３によりガイドされて流れがきれいになり、その上端から上方にスクリーン状に噴出される。
【００７５】
一方、エア噴出装置５では、多数の軸流ファン５２が駆動されて筐体５１内にエアが大量に導入される。導入されたエアは、筐体５１の上部に開口したエア噴出口５３から噴出して前記エアガイド４に至り、当該エアガイド４により流れが整えられて上端から上方に噴出される。このエアは、前記ミストによるスクリーンの両側面に噴出形成され、ミストのスクリーンをサンドイッチした状態を作る。エアの流速は、ミストの流速より早くさせるのが好ましい。流速調整は、エア制御部により軸流ファン５２の駆動をそれぞれ制御することで行う。
【００７６】
更に、エア噴出装置５は、エア層ＡＳによりミスト層ＭＳを挟み込んでミスト層ＭＳのミストの拡散を防止する。即ち、エア層ＡＳによりスクリーン状の空間を形成し、その内部にミストを閉じ込める。このようにすれば、ミスト層ＭＳの拡散が防止され、所望の高さまでミスト層ＭＳの厚さを維持できる。この結果、ミスト層ＭＳに投影する画像を上下方向（ミストの流れ方向）で安定させることができる。また、エア層ＡＳがミスト層ＭＳに対して厚いことから、使用環境での周囲のエアの流れ、例えばエアコンや人が移動したときに生じる風を受けても、エア層ＡＳの表層で当該風を吸収すると共に流れに取り込むことができるので、ミスト層ＭＳが使用環境のエアの状態に影響を受けにくい。特に、エア層ＡＳの流れが速く、厚いことでより効果が高まる。
【００７７】
このように形成したミストスクリーンＳに対し、プロジェクターＰにより映像を投射する。この投射光は、ミストスクリーンＳのエア層ＡＳを通過して、ミスト層ＭＳの当該プロジェクターＰ設置側の表面で反射し、所望の画像や映像を形成する。
【００７８】
（実施の形態２）
図Ａ１５は、本発明の実施の形態２に係るミストスクリーン形成装置を示す概念構成図である。図Ａ１６は、図Ａ１５に示したミストスクリーン形成装置を示す概念図である。このミストスクリーン形成装置１００は、下方向にミストスクリーンＳを形成するものであり、装置上側から、水タンクから供給された水を用いてミストを発生させるミスト発生装置２１０と、前記発生させたミストを整流するミスト整流器２２０と、整流後のミストを上方に所定の形状で噴出させるミストガイド２０３と、エアを上方に噴出すると共に前記エアを所定形状で噴出するエアガイド２０４を前記ミストガイド２０３の両側に設けたエア噴出装置２０５とを配置して構成される。このミストスクリーンＳに対しては汎用のプロジェクターにより画像を投射する。エアガイド２０４とミストガイド２０３とにより、ガイド部２０６が構成される。
【００７９】
ミスト発生装置２１０は、発生したミストを一時的に貯留する全体が一方向に長い直方体の筐体２１１と、当該筐体２１１の底面及び側面と仕切板２１２とで囲まれた噴霧液を貯留するタンク部２０１と、当該タンク２０１の底面に配置された超音波振動子駆動ユニット２１３と、超音波振動子駆動ユニット２１３の直上に設けられると共に全体が略筒状であり側面視にて円錐台形状で上下開口した噴霧ノズル２３０と、前記筐体２１１の側面に設けた遠心ファン２４０とを有する。 なお噴霧ノズル２３０と超音波振動子駆動ユニット２１３の接続部には超音波振動子が取付けられており（図示省略）、噴霧ノズル２３０の側面には超音波振動子に噴霧液が供給させるように穴を有する（図示省略）。
【００８０】
前記筐体２１１の下部の底板は、ミスト整流器２２０との連結のため開口している。また、前記超音波振動子駆動ユニット２１３は、所定周波数の電力を供給する駆動装置に接続される（図示省略）。また、タンク２０１の下部には、給水口が接続される。給水口はポンプを介して噴霧液タンクに接続される（図示省略）。
【００８１】
ミスト発生装置２１０の下部には、通路室２２１と貯留室２２２とからなるミスト整流器２２０が配置されている。ミスト整流器２２０は、図Ａ１６に示すように、短手方向の断面形状が略逆三角形ないし逆山形である。ミスト整流器２２０は、内部でミストの通路２２３を形成しており、前記筐体２１１の底板の下部に設けた開口が導入口２２８として連通している。通路２２３は、具体的には長手方向一端から他端方向に通路２２３が形成され、その他端で折り曲げられて反転し、隔壁２２４を介して前記通路と隣接する通路２２３が形成される。当該他端には水平方向に湾曲してミストの流れをよくする湾曲板２２５が設けられている。
【００８２】
前記経路２２３の筐体２１１の底板には、複数の穴２２９が設けられる。この穴２２９は、通路２２３の下流側が小さくなるように形成される。これは、ミストが、通路末端で壁にぶつかり当該通路末端での圧力が高くなるため、当該通路末端の穴２２９を小さくし且つ上流側の穴２２９を大きくすることで、さらに下部に設けた貯留室２２２へのミストの移動を均一化する。
【００８３】
貯留室２２２は、断面が略三角形状でありその下頂部には帯状の吐出口２７１が設けられる。吐出口２７１の短手方向の寸法（厚さ）がミストスクリーンＳの投影面の厚さとなる。貯留室２２２は、断面を略逆三角形又は逆山形にすることで、滞留するミストが生じない。そして、吐出口２７１を絞ることで所望の流速が得られる。吐出口２７１の厚さは、実施の形態１と同様の観点で設定する。
【００８４】
エア噴出装置２０５は、前記ミスト発生装置２１０の両側に一定間隔だけ離れて配置されている。エア噴出装置２０５は、エアを下方に噴出する構造であり、箱型の筐体２５１と、当該筐体２５１の側面に設けた複数の軸流ファン２５２と、前記筐体２５１の下部に開口したエア噴出口２５３とから構成される。
【００８５】
ミストガイド２０３は、前記ミスト整流器２２０の吐出口２７１に連設されている。また、エアガイド２０４は、前記エア噴出装置２０５のエア噴出口２５３に連設されている。更に、前記ミストガイド２０３及びエアガイド２０４は、図Ａ１７（ａ）に示すように、ミストガイド３の両側に一定間隔離れてエアガイド２０４を構成する。同図の例では、ミストガイド２０３及びエアガイド２０４が一体構成となっており、正六角形の筒状体を多数規則的に並べたように形成したハニカム構造体となる。筒状体のひとつひとつがガイドの役割を備えており、本構成では、図Ａ１７（ｂ）に示すように、前記吐出口２７１の直下に位置する筒状体がミストガイド２０３となり、前記エア噴出口２５３の直下に位置する筒状体がエアガイド２０４となる。ミストガイド２０３とエアガイド２０４との間には、筒状体は設けられていない（ガイドなし領域２６０）。
【００８６】
ハニカム構造の厚さ（筒状体の長さ）は、乱れた状態で侵入してきたミスト及びエアをガイドして流れを整え、ミストガイド２０３の直下に噴出させるように設定するものとする。これによりミストスクリーンＳは、図Ａ１７（ｃ）に示すように、エア層ＡＳ、中間層ＴＳ、ミスト層ＭＳ、中間層ＴＳ、エア層ＡＳの五層構造となる。前記中間層ＴＳは、ミスト層ＭＳとエア層ＡＳとの間に生じるエアの流れを積極的に生じさせていない空間領域である。
【００８７】
同図の構成では、ミスト層ＭＳの厚さに対してエア層ＡＳの厚さを大きくしている。具体的には、ミスト層ＭＳの２倍以上（１０倍以下）の厚さのエア層ＡＳを形成する。ミスト層ＭＳが厚いと背面投射による画像形成時に画像を視認し難くなるため、薄いほうが好ましい。なお、ミストガイド２０３は、断面が六角形の筒状体からなるハニカム構造に限定されない。
【００８８】
次に、このミストスクリーン形成装置２００の動作について説明する。噴霧液タンクからタンク２０１に水を供給し、超音波振動子を駆動してタンク内でミストを発生させる。このミストは噴霧ノズル２０３の先端から筐体２１１内に噴出される。筐体２１１内は、遠心ファン２０４により強力にエアが導入されている。
【００８９】
筐体２１１内のミストは、下部の開口（ミストの導入口２２８）からミスト整流器２２０内に移動する。ミスト整流器２２０内に移動したミストは、通路２２３の一端から進み、他端の湾曲板２２５できれいに反転して戻るように流れ、一端の壁にぶつかる。そして、当該通路２２３を流れてきたミストは、通路２２３の下部に設けた複数の穴２２９から貯留室２２２に移動する。当該複数の穴２２９は、上流側が面積が大きく、下流になるほど小さくなるので、貯留室２２２には、均一にミストが供給される。ミストが貯留室２２２に溜まると、その内圧によりミストが吐出口２７１から一定の流速をもって吐出される。吐出されたミストは、ミストガイド２０３によりガイドされて流れが均一化され、下方にスクリーン状に噴出する。
【００９０】
一方、エア噴出装置２０５では、多数の軸流ファン２５２が駆動されて筐体２５１内にエアが大量に導入される。導入されたエアは、筐体２５１下部に開口したエア噴出口２５３から噴出して前記エアガイド２０４に至る。噴出したエアは、エアガイド２０４により流れが整えられてエアガイド２０４の下端から下方に噴出される。このエアは、前記ミストによるスクリーンの両側面に噴出形成され、ミストのスクリーンを中間層ＴＳを介して挟んだ状態を形成する。エアの流速はミストの流速と略一致させるのが好ましい。流速調整は、エア制御部により軸流ファン２５２の駆動をそれぞれ制御することで行う。
【００９１】
このようにすれば、エア層ＡＳにより、エアコンや人が移動したときに生じる使用環境における風を受けても、エア層ＡＳの表層で当該風を吸収すると共に流れに取り込むことができるので、使用環境の風の流れに影響を受けにくい。更に、エア層ＡＳとミスト層ＭＳとの間には中間層ＴＳが形成されているので、当該部分がバッファとなって、エア層ＡＳの乱れの影響をミスト層ＭＳが受け難くなる。
【００９２】
このように形成したミストスクリーンＳに対し、プロジェクターＰにより映像を投射する。この投射光は、ミストスクリーンＳのエア層ＡＳを通過して、ミスト層ＭＳの当該プロジェクターＰ設置側の表面で反射し、所望の画像や映像を形成する。
【００９３】
（実施の形態３）
図Ａ１８は、本発明の実施の形態３に係るミストスクリーン形成装置を示す一部構成図である。このミストスクリーン形成装置は、上記実施の形態１に係るミストスクリーン形成装置１００と略同一の構成であるが、形成するエア層ＡＳをミスト層ＭＳの両側でそれぞれ二層に形成する点に特徴がある。
【００９４】
同図には、エア層ＡＳを二層に形成するためのガイド部の平面図を示す。このガイド部３６０は、実施の形態１に示したガイド部６と略同一の構成であってエア噴出装置５のエア噴出口５３に配置されるところ、ミスト層ＭＳ側の内エア層ＡＳを形成する内領域３５０と、外側になる外エア層ＡＳを形成する外領域３５１とを備え、噴出の結果として形成される中間層ＴＳに対応する中間領域３５２には、前記筒状体は設けられない。即ち、実施の形態１のガイド部６のエアガイド４に相当する部分に、中間領域３５２を設けて当該中間領域３５２に筒状体を設けず（蓋をするのと同様の状態）を作り、エア噴出装置５のエア噴出部５３からエアを噴出する。その他の構成は、実施の形態１と同様であるので図示及び説明を省略する。なお、内領域３５０と外領域３５１を形成する各筒状体の大きさを異なるものとしても良いし、長さを異なるものとしても良い。ミスト層ＭＳを形成する部分は、ミスト層形成領域３５３である。
【００９５】
図Ａ１９は、図Ａ１８に示したガイド部により形成したミストスクリーンＳの構造を示す模式図である。このガイド部３６０を用いてミスト整流器２からミストスクリーンＳを形成し、この両側にガイド部の内領域３５０により内エア層ＡＳ１を形成する。この状態で、実施の形態１と略同様にミスト層ＭＳの両側に内エア層ＡＳ１を形成して当該ミスト層ＭＳを挟んだ状態を形成する。内エア層ＡＳ１は、上記実施の形態１のエア層ＡＳと同様の作用効果を備えている。すなわち、内エア層ＡＳ１によりミスト層ＭＳを挟み込んでミスト層ＭＳのミストの拡散を防止し、所望の高さまでミスト層ＭＳの厚さを維持できる。この結果、ミスト層ＭＳに投影する画像を上下方向（ミストの流れ方向）で安定させることができる。
【００９６】
更に、外領域により外エア層ＡＳ２を形成する。外エア層ＡＳ２は、外部のエアコンや扇風機の風の流れを吸収して上方に押し上げる。外エア層ＡＳ２と内エア層ＡＳ１との間にはバッファとなる中間層ＴＳが形成されるので、外エア層ＡＳ２の流れの乱れの影響を受けにくい。中間層ＴＳの厚さ（幅）は、大きくするほど外部環境の風による影響を抑制できる。
【００９７】
（実施の形態４）
図Ａ２０は、本発明の実施の形態４に係るミストスクリーン形成装置を示す構成図である。前記実施の形態３の構成における前記中間層ＴＳを無くし（内エア層ＡＳ１と外エア層ＡＳ２とを隣接させ）、更に、内エア層ＡＳ１と外エア層ＡＳ２とのそれぞれにエアを噴出するエア噴出装置５とエア噴出口５３を個別に設けても良い。同図に示すように、このミストスクリーン形成装置では、上記実施の形態と略同一構成となるエア噴出装置５ａ、エア噴出装置５ｂがミスト発生装置及びミスト整流器２の両側にそれぞれ設けられる。
【００９８】
エア噴出装置５ａのエア噴出口とエア噴出装置５ｂのエア噴出口とは、吐出口７１の両側に併設されている。ガイド部６は、上記同様、断面が六角形の筒状体を多数並べたハニカム構造である。前記吐出口７１の直上に位置する筒状体がミストガイド３となり、前記エア噴出口５３ａの直上に位置する筒状体が内エア層ＡＳ１用のエアガイド４ａとなる。前記エア噴出口５３ｂの直上に位置する筒状体が外エア層ＡＳ２用のエアガイド４ｂとなる。
【００９９】
ミスト発生装置で発生したミストはミスト整流器２で整流され、吐出口７１からミストガイド３によりスクリーン状に吐出される。エア噴出装置５ａとエア噴出装置５ｂとは、それぞれエアをエア噴出口５３ａ及びエア噴出口５３ｂから噴出し、内エア層ＡＳ１及び外エア層ＡＳ２を形成する。この内エア層ＡＳ１及び外エア層ＡＳ２は、ミスト層ＭＳをサンドイッチした状態を作る。
【０１００】
また、外エア層ＡＳ２の流速を内エア層ＡＳ１の流速より早くするように、エア噴出装置５ａとエア噴出装置５ｂとの軸流ファンが駆動制御される。外エア層ＡＳ２の流速を内エア層ＡＳ１の流速より早くすることで、ミストスクリーン上部におけるエア層ＡＳ１の拡散を防止し、それに伴って内部のミスト層ＭＳの拡散が防止され、その結果、ミスト層ＭＳに投影する画像を上下方向（ミストの流れ方向）でより安定させることができる。
【０１０１】
更に、エア噴出装置５ａ内の筐体５１内部へ湿度の高いエア供給するための加湿器を設け（図示省略）、ミストにはならない程度の湿度の高いエアを吐出することで前記内エア層ＡＳ１を形成しても良い。このように、ミスト層ＭＳを高湿度の内エア層ＡＳ１で挟まれることになり、内エア層ＡＳ１に通常のエアを吐出した場合に比べ、ミスト層ＭＳと内エア層ＡＳ１の湿度勾配が少なくなってミスト層ＭＳの拡散が防止され、その結果、ミスト層ＭＳに投影する画像を上下方向（ミストの流れ方向）でより安定させることができる。
【０１０２】
［付記項１］  
ミスト発生手段から供給を受けたミストをスクリーン状に吐出するミストスクリーン形成装置であって、
一方向にミストをスクリーン状に吐出して空間上にミスト層を形成するミスト吐出手段と、
ミストを含まないエアを前記ミストの吐出方向と略同一方向に且つ前記ミスト層の両側で噴出することで前記ミスト層を挟むエア層を形成するエア噴出手段と、
を備えたことを特徴とするミストスクリーン形成装置。
［付記項２］
前記ミスト吐出手段は、前記ミストを吐出する帯状のミスト吐出口を有し、前記エア噴出手段は、エアを吐出すると共に前記ミスト吐出口の両側に隣接して設けた帯状のエア噴出口を有することを特徴とする付記項１に記載のミストスクリーン形成装置。
［付記項３］
更に、筒状体を多数規則的に並べたように形成したハニカム構造体からなるミストガイドを、前記ミスト吐出口に連設したことを特徴とする付記項１又は２に記載のミストスクリーン形成装置。
［付記項４］
更に、筒状体を多数規則的に並べたように形成したハニカム構造体からなるエアガイドを、前記エア噴出口に連設したことを特徴とする付記項１〜３のいずれか一つに記載のミストスクリーン形成装置。
［付記項５］
更に、前記ミストを貯留する貯留部と、前記ミスト発生手段から供給を受けたミストを通す通路とを有すると共に、当該通路がミストを貯留する貯留部に連通する穴を複数有し、
前記ミスト吐出手段は、前記貯留部に貯留したミストをスクリーン状に吐出することを特徴とする付記項１〜４のいずれか一つに記載のミストスクリーン形成装置。
［付記項６］
更に、前記複数の穴は、前記通路内のミストの流れの下流の穴が上流の穴より小さいことを特徴とする付記項５に記載のミストスクリーン形成装置。
［付記項７］
更に、前記ミスト吐出手段は前記ミストを吐出する帯状のミスト吐出口を有し、
当該ミスト吐出口は前記貯留部に設けられると共に、
前記複数の穴は、前記ミスト吐出口の長手方向に略沿って配置されていることを特徴とする付記項６に記載のミストスクリーン形成装置。
【符号の説明】
【０１０３】
１００  ミストスクリーン連結具
１  整流片
２  梁部
３  湾曲面（外側面）
４  湾曲面（内側面）
５０  ミストスクリーン形成装置
【図１】
2020034713.tif 000003
【図２】
2020034713.tif 000004
【図３】
2020034713.tif 000005
【図４】
2020034713.tif 000006
【図５】
2020034713.tif 000007
【図６】
2020034713.tif 000008
【図７】
2020034713.tif 000009
【図８】
2020034713.tif 000010
【図９】
2020034713.tif 000011
【図１０】
2020034713.tif 000012
【図１１】
2020034713.tif 000013
【図１２】
2020034713.tif 000014
【図１３】
2020034713.tif 000015
【図１４】
2020034713.tif 000016
【図１５】
2020034713.tif 000017
【図１６】
2020034713.tif 000018
【図１７】
2020034713.tif 000019
【図１８】
2020034713.tif 000020
【図１９】
2020034713.tif 000021
【図２０】
2020034713.tif 000022
【図２１】
2020034713.tif 000023
【図２２】
2020034713.tif 000024
【図２３】
2020034713.tif 000025
【図２４】
2020034713.tif 000026
【図Ａ１】
2020034713.tif 000027
【図Ａ２】
2020034713.tif 000028
【図Ａ３】
2020034713.tif 000029
【図Ａ４】
2020034713.tif 000030
【図Ａ５】
2020034713.tif 000031
【図Ａ６】
2020034713.tif 000032
【図Ａ７】
2020034713.tif 000033
【図Ａ８】
2020034713.tif 000034
【図Ａ９−１】
2020034713.tif 000035
【図Ａ９−２】
2020034713.tif 000036
【図Ａ１０】
2020034713.tif 000037
【図Ａ１１】
2020034713.tif 000038
【図Ａ１２】
2020034713.tif 000039
【図Ａ１３】
2020034713.tif 000040
【図Ａ１４】
2020034713.tif 000041
【図Ａ１５】
2020034713.tif 000042
【図Ａ１６】
2020034713.tif 000043
【図Ａ１７】
2020034713.tif 000044
【図Ａ１８】
2020034713.tif 000045
【図Ａ１９】
2020034713.tif 000046
【図Ａ２０】
2020034713.tif 000047
【手続補正書】
【提出日】平成30年12月14日(2018.12.14)
【手続補正１】
【補正対象書類名】明細書
【補正対象項目名】全文
【補正方法】変更
【補正の内容】
【発明の詳細な説明】
【技術分野】
【０００１】
本発明は、プロジェクターなどにより霧によるスクリーンに光を投射することで静止画又は動画を表示するミストスクリーン連結具及びミストスクリーン形成装置に関するものである。
【背景技術】
【０００２】
従来から、特許文献１に開示されているようなミストディスプレイ装置が提案されている。このミストディスプレイ装置は、外乱風により液滴膜・液膜が乱れることで投影映像が乱れてしまうという課題に対し、液滴膜に投影された画像の歪みを算出する投影画像推定歪みデータ算出部と、算出された歪みを減じる補正値を算出する画像変換マトリクス生成部と、算出された補正値によって液滴膜に投影する画像を補正する補正処理部とを備えた構成により、当該課題を解決するものとしている。
【先行技術文献】
【特許文献】
【０００３】
【特許文献１】特開２０１６−４６７１１号公報
【発明の概要】
【発明が解決しようとする課題】
【０００４】
ここで、ミストディスプレイの投影面積を拡大する際、複数台のミストディスプレイを一列に並べて液滴膜を連結することが考えられる。図２４にミストディスプレイを連結する場合の例を示す。２台のミストディスプレイ９００を一列に並べて液滴膜を連結する場合、ミストディスプレイＳの液滴膜は、装置本体９０１の端部まで形成されないことから、連結部分に液滴膜が存在しない領域９０２が発生し、もしくは、上方に行くにつれて液滴膜どうしが融合することがあっても筋状の液滴密度が低い領域が発生し、ミストディスプレイＳの液滴密度の均一性が得られないという問題がある。本発明は、係る問題点を解決するためになされたものである。
【課題を解決するための手段】
【０００５】
本発明に係るミストスクリーン連結具は、一のミストスクリーン形成装置と他のミストスクリーン形成装置とを、各ミストスクリーン形成装置がミストを吐出して形成するミストスクリーンが連続する方向に近接配置した状態で、前記一のミストスクリーン形成装置の端縁と他のミストスクリーン形成装置の端縁との間に渡って配置されるものであり、一対の湾曲面又は斜面を外側上下方向に有し、前記一対の湾曲面及び斜面が前記連結方向において略対称かつ所定間隔をもって設けられていることを特徴とする。
【０００６】
上記発明において、更に一対の湾曲面又は斜面を内側上下方向に有するのが好ましい。また、前記外側上下方向の湾曲面又は斜面を有する整流片が一対に設けられると共に当該整流片同士は、梁部により連結されるようにするのが好ましい。
【０００７】
本発明に係るミストスクリーン形成装置は、一のミストスクリーン形成装置と他のミストスクリーン形成装置とを、各ミストスクリーン形成装置がミストを吐出して形成するミストスクリーンが連続する方向に近接配置した状態で、前記一のミストスクリーン形成装置の本体端縁と他のミストスクリーン形成装置の本体端縁とが対向すると共にミストの吐出口の近傍で且つ外側上下方向に湾曲面又は斜面が設けられることを特徴とする。
【０００８】
上記発明において、更に、湾曲面又は斜面を内側上下方向に有するのが好ましい。また、前記湾曲面又は斜面は整流片として前記ミストスクリーン形成装置の近接配置される本体端縁に梁部により設けられるようにするのが好ましい。
【図面の簡単な説明】
【０００９】
【図１】本発明の実施の形態１に係るミストスクリーン連結具を示す斜視図である。
【図２】図１に示したミストスクリーンを示す側面図である。
【図３】ミストスクリーン連結具をミストスクリーン形成装置に設置した状態を示す平面図である。
【図４】このミストスクリーン連結具の動作を示す説明図である。
【図５】本発明の実施の形態２に係るミストスクリーン連結具を示す側面図である。
【図６】図５に示したミストスクリーン連結具を示す平面図である。
【図７】ミストスクリーン連結具をミストスクリーン形成装置に設置した状態を示す平面図である。
【図８】このミストスクリーン連結具の動作を示す説明図である。
【図９】本発明に係るミストスクリーン連結具を示す側面図である。
【図１０】図９に示したミストスクリーン連結具を示す平面図である。
【図１１】ミストスクリーン連結具をミストスクリーン形成装置に設置した状態を示す平面図である。
【図１２】このミストスクリーン連結具の動作を示す説明図である。
【図１３】本発明の実施の形態４に係るミストスクリーン連結具を示す側面図である。
【図１４】図１３に示したミストスクリーン連結具を示す平面図である。
【図１５】ミストスクリーン連結具をミストスクリーン形成装置に設置した状態を示す平面図である。
【図１６】このミストスクリーン連結具の動作を示す説明図である。
【図１７】本発明の実施の形態５に係るミストスクリーン形成装置を示す一部斜視図である。
【図１８】図１７に示したミストスクリーン形成装置を示す一部側面図である。
【図１９】図１７に示したミストスクリーン形成装置を示す一部平面図である。
【図２０】本発明に係るミストスクリーン形成装置を示す一部側面図である。
【図２１】図２０に示したミストスクリーン形成装置を示す一部平面図である。
【図２２】このミストスクリーン形成装置の動作を示す説明図である。
【図２３】本発明のミストスクリーン連結具の変形例を示す説明図である。
【図２４】ミストディスプレイを連結する場合の例を示す説明図である。
【図２５Ａ１】本発明に係るミストスクリーン形成装置を示す概念図であり、（ａ）は正面図、（ｂ）は側面図である。
【図２５Ａ２】本発明のミストスクリーンの形成態様を示す概念図である。
【図２５Ａ３】本発明の実施の形態１に係るミストスクリーン形成装置を示す構成図である。
【図２５Ａ４】図３Ａに示したミストスクリーン形成装置の側面図である。
【図２５Ａ５】図２５Ａ３のＡ−Ａ断面図である。
【図２５Ａ６】図２５Ａ３のＢ−Ｂ断面図である。
【図２５Ａ７】図２５Ａ５の一部拡大断面図である。
【図２５Ａ８】ミストスクリーン形成装置の分解図であって、筐体からエア噴出装置を取り外した状態を示す三面図である。
【図２５Ａ９】ミストスクリーン形成装置の分解図であって、ミストガイド及びエアガイドを取り外した状態を示す外観図及び断面図である。
【図２５Ａ１０】ミストスクリーン形成装置の分解図であって、ミスト整流器の貯留室を取り外した状態を示す外観図及び断面図である。
【図２５Ａ１１】ミストスクリーン形成装置の分解図であって、中板を取り外した状態を示す外観図及び断面図である。
【図２５Ａ１２】本発明に係るミストスクリーン形成装置の通路模式図である。
【図２５Ａ１３】ガイド部の断面図及び平面図である。
【図２５Ａ１４】ガイド部の変形例を示す平面図である。
【図２５Ａ１５】本発明の実施の形態２に係るミストスクリーン形成装置を示す概念構成図である。
【図２５Ａ１６】図２５Ａ１５に示したミストスクリーン形成装置を示す概念図である。
【図２５Ａ１７】ガイド部を示す模式図、ミストスクリーンの形成態様を示す模式図である。
【図２５Ａ１８】本発明の実施の形態３に係るミストスクリーン形成装置を示す一部構成図である。
【図２５Ａ１９】図２５Ａ１８に示したガイド部により形成したミストスクリーンの構造を示す模式図である。
【図２５Ａ２０】本発明の実施の形態４に係るミストスクリーン形成装置を示す構成図である。
【発明を実施するための形態】
【００１０】
（実施の形態１）
図１は、本発明の実施の形態１に係るミストスクリーン連結具を示す斜視図である。図２は、図１に示したミストスクリーンを示す側面図（ａ）及び平面図（ｂ）である。図３は、ミストスクリーン連結具をミストスクリーン形成装置に設置した状態を示す平面図である。このミストスクリーン連結具１００は、一対の整流片１同士を梁部２で連結した構造である。各整流片１は、平面視で扇形状であり、側面視で半円弧状である。より具体的には、各整流片１は、イチョウの葉形状の平板が所定の曲率で湾曲して外側上下方向（図中矢印で示す）に湾曲面３（外側面３）を形成すると共に整流片１同士は直線的な梁部２により連結すると共に前記湾曲した板状体が次第に収束した形状となって当該梁部２に一体化している。係る形状にすることで、前記一対の整流片１の湾曲面３が略対称かつ所定間隔をもって設けられる。
【００１１】
また、各整流片１は、板状体を湾曲させていることから、内側上下方向（図中矢印で示す）に湾曲面４が形成される。この内側の湾曲面４は、ミストが付着して水滴になった場合に、当該水滴が湾曲面４を伝って下方に流す。
【００１２】
整流片１と整流片１との間隔は、ミストスクリーン形成装置５０の本体５１の端部、具体的には吐出口の端縁５０ａから本体カバーの端縁５０ｂまでのミストが吐出しない部分ＮＭの２倍以上である。別の観点では、ミストスクリーン形成装置５０を近接配置した場合に、一のミストスクリーン形成装置５０Ａの吐出口５０ｃの端縁５０ｂと他のミストスクリーン形成装置５０Ｂの吐出口５０ｃの端縁５０ｂとの間隔より大きいものである。その一方、整流片１同士の間隔が広すぎるとミストスクリーンがうまく連結しないので、ミストスクリーンのサイズ等に応じて適切に決定するものとする。
【００１３】
整流片１は、所定の面積を有することで吐出するミストの流れが湾曲面３に沿って流れるように、その曲率や半径を決定する。また、内側面４にミストが当たって結露しても、当該結露に起因した水滴が内側面４に沿って下方に流れるように、当該内側面４の面積や形状を詳細に決定するものとする。更に、吐出口５０ｃから吐出したミストが梁部２を通過しやすいように、当該梁部２は、ミストの流れ方向に直交する方向の断面積が小さくなる形状とする。好ましくは、棒状又は上下方向となる短冊状とする。
【００１４】
即ち、前記整流片１は、外側面３を流れるミストを外側面３に沿って曲げて上方に流す機能を奏するために所定の面積が必要である。また、内側面４に当たったミストが表面で結露しても水滴は梁部２に至る前に落下するようになり、梁部２は、一対の整流片１を支持すると共にミストの流れをほとんど乱さずに通過させ、且つ、結露を起こさないように、軸状または板状となる。そして、梁部２は、少なくとも前記一のミストスクリーン形成装置５０Ａの吐出口５０ｃの端縁５０ｂと他のミストスクリーン形成装置５０Ｂの吐出口５０ｃの端縁５０ｂとの間隔より大きく、よって吐出口５０ｃの端縁５０ｂと端縁５０ｂとの隙間に渡って配置できる。梁部２では雫が生じないことから、端縁５０ｂと端縁５０ｂとの隙間上方に位置しても当該隙間に雫が落下することがなく、このため、ミストスクリーン形成装置５０の本体の間に水がたれて床が濡れることがない。
【００１５】
なお、前記梁部２は、整流片１同士を連結してハンドリングしやすくすると共に、ミストが付着して水滴となって垂れないようにする機能を備えたものであるから、当該機能を有するものであれば図示したような直線的なものに限定されるものではない。また、梁部２と板状体との連結部分に下垂部を形成して、梁部２の中央付近に水滴が移動することがないようにしても良い（図示省略）。
【００１６】
図４は、このミストスクリーン連結具の動作を示す説明図である。まず、吐出するミストスクリーンが連続面を形成するように２台のミストスクリーン形成装置５０を横並びに配置する。このとき、一のミストスクリーン形成装置５０Ａの本体５１と他のミストスクリーン形成装置５０Ｂの本体５１同士を近接配置して接触させ、吐出したミストスクリーンＳ同士を近接させて一つの大きなスクリーンのように連結させる。次に、ミストスクリーン連結具１００を吐出口５０ｃの上であって、前記一のミストスクリーン形成装置５０Ａの本体端縁５０ｂと他のミストスクリーン形成装置５０Ｂの本体端縁５０ｂとの隙間に渡って跨ぐように載置する。
【００１７】
次に、吐出口５０ｃからミストＭを吐出する。吐出したミストＭは、ミストスクリーン連結具１００の外側面３に沿って上方に曲がって流れて当該ミストスクリーン連結具１００の上部で図中右側のミストスクリーンＳと図中左側のミストスクリーンＳとの端同士が連結する。これにより、ミストスクリーンＳがきれいに連結される。更に、梁部２においては、吐出されたミストＭが略そのまま上方に通過して前記連結されたミストスクリーンＳに合流する。
【００１８】
以上の構成により、ミストスクリーンＳが、ミストスクリーン形成装置５０の端縁付近においてもきれいに連続的に形成されるので、画像に欠損が生じることがない。更に、ミストＭが整流片１の内側面４に当たって結露した場合でも、水滴が整流片１の内側面４に沿って流れて吐出口５０ｃに落ちる（水滴の流れ方向は図中矢印で指示）。このため、ミストスクリーン形成装置５０の連結部分に水滴が垂れることがない。
【００１９】
（実施の形態２）
図５は、本発明の実施の形態２に係るミストスクリーン連結具を示す側面図である。図６は、図５に示したミストスクリーン連結具を示す平面図である。このミストスクリーン連結具２００は、断面が半円形の湾曲板状体２０１を２個直線的に並べ且つその湾曲板状体２０１の頂部と頂部とに同様の湾曲板状体２０１を載せるようにした構造である。湾曲板状体２０１の幅は、ミストスクリーンＳの幅に略等しいものとするのが好ましい。
【００２０】
ミストスクリーン連結具２００の長さは、好ましくは、ミストスクリーン形成装置５０の端部、具体的には吐出口５０ｃの端縁５０ａから本体カバーの端縁５０ｂまでのミストが吐出しない部分ＮＭの２倍以上である。別の観点では、ミストスクリーン形成装置５０を近接配置した場合に、一のミストスクリーン形成装置５０Ａの吐出口５０ｃの端縁５０ｂと他のミストスクリーン形成装置５０Ｂの吐出口５０ｃの端縁５０ｂとの間隔より大きいものである。
【００２１】
また、湾曲板状体２０１の中央側の下端には、接続板２０２が設けられる。この接続板２０２の裏面には粘着テープ等の貼着面が設けられる。また、接続板２０２の長手方向の両端には壁部２０９が形成される。接続板２０２の長さは、ミストスクリーン連結具２００の長さより小さいものとする。
【００２２】
図７は、ミストスクリーン連結具をミストスクリーン形成装置に設置した状態を示す平面図である。図８は、このミストスクリーン連結具の動作を示す説明図である。まず、２台のミストスクリーン形成装置５０を、吐出するミストスクリーンが連続面を形成するように横並びに配置する。このとき、一のミストスクリーン形成装置５０Ａの本体５１と他のミストスクリーン形成装置５０Ｂの本体５１同士を近接配置（接触状態を含む。以下同じ）させる。次に、ミストスクリーン連結具２００を吐出口５０ｃの上であって、前記一のミストスクリーン形成装置５０Ａの本体端縁５０ｂと他のミストスクリーン形成装置５０Ｂの本体端縁５０ｂとの隙間に渡って跨ぐように載置する。このとき、ミストスクリーン連結具２００を前記貼着面をもって本体端縁５０ｂに貼り付けて固定する。
【００２３】
次に、吐出口５０ｃからミストＭを吐出する。吐出したミストＭは、ミストスクリーン連結具２００の湾曲板状体２０１の外側面２０３に沿って上方に流れて当該ミストスクリーン連結具２００の上部で図中右側のミストスクリーンＳと図中左側のミストスクリーンＳとの端同士が連結する。これにより、ミストスクリーンＳ同士が、ミストスクリーン形成装置５０の端縁付近においてもきれいに連続的に形成されるので、画像に欠損が生じることがない。
【００２４】
更に、ミストＭが湾曲板状体２０１の内側面２０４に当たって結露した場合でも、水滴が内側面２０４に沿って流れて吐出口５０ｃに落ちる。また、接続板２０２の上に水滴が落ちた場合でも当該接続板２０２の両端部から吐出口５０ｃに流れると共に、前記壁部２０９によりミストスクリーン形成装置５０の連結部分に水滴が垂れることがない。
【００２５】
（実施の形態３）
図９は、本発明に係るミストスクリーン連結具を示す側面図である。図１０は、図９に示したミストスクリーン連結具を示す平面図である。このミストスクリーン連結具３００は、断面が半円形の湾曲板状体３０１からなる。湾曲板状体３０１の幅は、ミストスクリーンの幅に略等しいものとするのが好ましい。
【００２６】
ミストスクリーン連結具３００の長さは、好ましくは、ミストスクリーン形成装置５０の端部、具体的には吐出口５０ｃの端縁５０ａから本体カバーの端縁５０ｂまでのミストが吐出しない部分ＮＭの２倍以上である。別の観点では、ミストスクリーン形成装置５０を近接配置した場合に、一のミストスクリーン形成装置５０Ａの吐出口５０ｃの端縁５０ｂと他のミストスクリーン形成装置５０Ｂの吐出口５０ｃの端縁５０ｂとの間隔より大きいものである。
【００２７】
図１１は、ミストスクリーン連結具をミストスクリーン形成装置に設置した状態を示す平面図である。図１２は、このミストスクリーン連結具の動作を示す説明図である。まず、２台のミストスクリーン形成装置５０を、吐出するミストスクリーンが連続面を形成するように横並びに配置する。このとき、一のミストスクリーン形成装置５０Ａの本体５１と他のミストスクリーン形成装置５０Ｂの本体５１同士を近接配置させる。次に、ミストスクリーン連結具３００を吐出口５０ｃの上であって、前記一のミストスクリーン形成装置５０Ａの本体端縁５０ｂと他のミストスクリーン形成装置５０Ｂの本体端縁５０ｂとの隙間に渡って跨ぐように載置する。
【００２８】
次に、吐出口５０ｃからミストＭを吐出する。吐出したミストＭは、ミストスクリーン連結具３００の湾曲板状体３０１の外側面３０３に沿って上方に曲がって流れて当該ミストスクリーン連結具３００の上部で図中右側のミストスクリーンＳと図中左側のミストスクリーンＳとの端同士が連結する。
【００２９】
これにより、ミストスクリーンＳ同士が、ミストスクリーン形成装置５０の端縁付近においてもきれいに連続的に形成されるので、画像に欠損が生じることがない。更に、ミストＭが湾曲板状体３０１の内側面３０４に当たって結露した場合でも、水滴が内側面３０４に沿って流れて吐出口５０ｃに落ちる。
【００３０】
（実施の形態４）
図１３は、本発明の実施の形態４に係るミストスクリーン連結具を示す側面図である。図１４は、図１３に示したミストスクリーン連結具を示す平面図である。このミストスクリーン連結具４００は、断面が半円形ないし蒲鉾形の中実体からなる。中実体の幅は、ミストスクリーンの幅に略等しいものとするのが好ましい。
【００３１】
ミストスクリーン連結具４００の長さは、好ましくは、ミストスクリーン形成装置５０の端部、具体的には吐出口５０ｃの端縁５０ａから本体カバーの端縁５０ｂまでのミストが吐出しない部分ＮＭの２倍以上である。別の観点では、ミストスクリーン形成装置５０を隣接配置した場合に、一のミストスクリーン形成装置５０Ａの吐出口５０ｃの端縁５０ｂと他のミストスクリーン形成装置５０Ｂの吐出口５０ｃの端縁５０ｂとの間隔より大きいものである。
【００３２】
図１５は、ミストスクリーン連結具をミストスクリーン形成装置に設置した状態を示す平面図である。図１６は、このミストスクリーン連結具の動作を示す説明図である。まず、２台のミストスクリーン形成装置５０を、吐出するミストスクリーンが連続面を形成するように横並びに配置する。このとき、一のミストスクリーン形成装置５０Ａの本体５１と他のミストスクリーン形成装置５０Ｂの本体５１同士を近接配置させる。次に、ミストスクリーン連結具４００を吐出口５０ｃの上であって、前記一のミストスクリーン形成装置５０Ａの本体端縁５０ｂと他のミストスクリーン形成装置５０Ｂの本体端縁５０ｂとの隙間に渡って跨ぐように載置する。
【００３３】
次に、吐出口５０ｃからミストＭを吐出する。吐出したミストＭは、ミストスクリーン連結具４００の中実体の外側面４０３に沿って上方に曲がって流れて当該ミストスクリーン連結具４００の上部で図中右側のミストスクリーンＳと図中左側のミストスクリーンＳとの端同士が連結する。これにより、ミストスクリーンＳ同士が、ミストスクリーン形成装置５０の端縁付近においてもきれいに連続的に形成されるので、画像に欠損が生じることがない。
【００３４】
（実施の形態５）
図１７は、本発明の実施の形態５に係るミストスクリーン形成装置を示す一部斜視図である。図１８は、図１７に示したミストスクリーン形成装置を示す一部側面図である。図１９は、図１７に示したミストスクリーン形成装置を示す一部平面図である。このミストスクリーン形成装置６０は、実施の形態１に係るミストスクリーン連結具１００が二分割されてミストスクリーン形成装置６０の本体６１に設けた構成である。
【００３５】
このミストスクリーン形成装置６０は、吐出口５０ｃの端縁５０ａの近傍に整流片１を配置し、この整流片１は、梁部６２で本体６１の端縁５０ｂの中央付近に固定された構造である。各整流片１は、平面視で扇形状であり、側面視で半円弧状である。より具体的には、各整流片１は、イチョウの葉形状の平板が所定の曲率で湾曲して外側上下方向（図中矢印で示す）に湾曲面３（外側面３）を形成すると共に前記湾曲した平板が次第に収束した形状となって当該梁部６２に一体化している。当該梁部６２は、水平方向に延出すると共に端縁５０ｂの位置で下方に曲がり本体６１に固定される。
【００３６】
また、各整流片１は、板状体を湾曲させていることから、内側上下方向（図中矢印で示す）に湾曲面４が形成される。この内側の湾曲面４は、ミストが付着して水滴になった場合に、当該水滴が内側面４を伝って下方に流す。
【００３７】
整流片１と本体６１の端縁５０ｂとの間隔は、吐出口５０ｃの端縁５０ａから本体カバーの端縁５０ｂまでのミストが吐出しない部分ＮＭ以上である。別の観点では、ミストスクリーン形成装置６０を隣接配置した場合に、一のミストスクリーン形成装置５０Ａの吐出口５０ｃの端縁５０ｂと他のミストスクリーン形成装置５０Ｂの吐出口５０ｃの端縁５０ｂとの間隔の半分より大きいものである。
【００３８】
整流片１は、所定の面積を有することで吐出するミストの流れが湾曲面３の上面に沿って流れるようにその曲率や半径を決定する。また、内側面４にミストが当たって結露しても、当該結露に起因した水滴が内側面４に沿って下方に落下するように、当該内側面４の面積や形状を詳細に決定するものとする。更に、吐出口５０ｃから吐出したミストが梁部６２の上方に通過しやすいように当該梁部６２は、ミストの流れ方向に直交する方向の断面積を小さくなる形状とする。好ましくは、棒状又は上下方向となる短冊状とする。
【００３９】
即ち、前記整流片１は、外側面３を流れるミストを湾曲面３に沿って曲げて上方に流す機能を奏するために所定の面積が必要であり、一方で、内側面４を流れるミストが表面で結露しても水滴は梁部６２に至る前に落下するようになり、梁部６２は、整流片１を支持すると共にミストの流れをほとんど乱さずに通過させ、且つ、結露を起こさないように、軸状または板状となる。
【００４０】
ミストスクリーン連結具の動作を説明する。まず、吐出するミストスクリーンが連続面を形成するように２台のミストスクリーン形成装置６０を横並びに配置する。このとき、一のミストスクリーン形成装置６０Ａの本体６１と他のミストスクリーン形成装置６０Ｂの本体６１同士を近接配置して接触させる。
【００４１】
この状態で、前記一のミストスクリーン形成装置６０Ａの本体端縁５０ｂと他のミストスクリーン形成装置６０Ｂの本体端縁５０ｂとが対向すると共に、ミストの吐出口５０ｃの近傍に外側上下方向に湾曲面３を有する整流片１が位置することとなる。また、係る構造にすることで、前記一対の整流片１の湾曲面３が略対称かつ所定間隔をもって位置することになる。
【００４２】
次に、吐出口５０ｃからミストＭを吐出する。吐出したミストＭは、整流片１の外側面３に沿って上方に曲がって流れてその上部で図中右側のミストスクリーンＳと図中左側のミストスクリーンＳとの端同士が連結する。更に、梁部６２においては、吐出されたミストＭがそのまま上方に通過して前記連結されたミストスクリーンＳに合流する。
【００４３】
これにより、ミストスクリーンＳが、ミストスクリーン形成装置５０の端縁付近においてもきれいに連続的に形成されるので、画像に欠損が生じることがない。更に、ミストＭが整流片１の内側面４に当たって結露した場合でも、水滴が整流片１の内側面４に沿って流れて吐出口５０ｃに落ちる（水滴の流れ方向は図中矢印で指示）。このため、ミストスクリーン形成装置６０の連結部分に水滴が垂れることがない。
【００４４】
更に、係る構成の場合、整流片１が本体６１に固定されていることから、ミストスクリーン形成装置６０を正しく一列に並べるだけで、ミストスクリーンＳをきれいに連結できる。なお、整流片１は、本体６１の両側に設けられる（もう一方は図示省略）。
【００４５】
（実施の形態６）
図２０は、本発明に係るミストスクリーン形成装置を示す一部側面図である。図２１は、図２０に示したミストスクリーン形成装置を示す一部平面図である。このミストスクリーン形成装置７０は、実施の形態３に係るミストスクリーン連結具３００が二分割されてミストスクリーン形成装置７０の本体７１に整流片７２として一体化した構成である。
【００４６】
整流片７２は、断面が帆形状の湾曲板状体であり、垂直方向に延びた脚部７３が本体７１に取り付けられる。整流片７２は、所定の面積を有することで吐出するミストの流れが湾曲面３０３の上面に沿って流れるようにその曲率や半径を決定する。また、内側面３０４にミストが当たって結露しても、当該結露に起因した水滴が内側面３０４に沿って下方に流れるように、当該内側面３０４の面積や形状を詳細に決定するものとする。
【００４７】
図２２は、このミストスクリーン形成装置の動作を示す説明図である。まず、吐出するミストスクリーンが連続面を形成するように２台のミストスクリーン形成装置７０を横並びに配置する。このとき、一のミストスクリーン形成装置７０Ａの本体７１と他のミストスクリーン形成装置７０Ｂの本体７１同士を近接配置して接触させる。
【００４８】
この状態で、前記一のミストスクリーン形成装置７０Ａの本体端縁５０ｂと他のミストスクリーン形成装置７０Ｂの本体端縁５０ｂとが対向すると共に、ミストの吐出口５０ｃの近傍で且つ外側上下方向に湾曲面３０３を有する整流片７２が位置することとなる。また、係る構造にすることで、前記一対の整流片７２の湾曲面３０３が略対称かつ所定間隔をもって位置することになる。
【００４９】
次に、吐出口５０ｃからミストＭを吐出する。吐出したミストＭは、整流片７２の外側面３０３に沿って上方に曲がって流れてその上部で図中右側のミストスクリーンＳと図中左側のミストスクリーンＳとの端同士が連結する。これにより、ミストスクリーンＳが、ミストスクリーン形成装置７０の端縁付近においてもきれいに連続的に形成されるので、画像に欠損が生じることがない。
【００５０】
更に、ミストＭが整流片７２の内側面３０４に当たって結露した場合でも、水滴が整流片１の内側面３０４に沿って流れて吐出口５０ｃに落ちる（水滴の流れ方向は図中矢印で指示）。このため、ミストスクリーン形成装置７０の連結部分に水滴が垂れることがない。
【００５１】
係る構成の場合、整流片７２が本体７１に固定されていることから、ミストスクリーン形成装置５０を正しく並べるだけで、ミストスクリーンＳをきれいに連結できる。整流片７２は、本体７１の両側に設けられる（図示省略）。
【００５２】
（変形例）
上記実施の形態１〜６において湾曲面は、斜面としても良い。図２３は、本発明のミストスクリーン連結具の変形例を示す説明図であり、（ａ）は斜視図、（ｂ）は側面図、（ｃ）は平面図である。このミストスクリーン連結具９０は、実施の形態１に係るミストスクリーン連結具１００の整流片１の形状が、平面視で三角形状であり、側面視で斜め直線状になったものである。この整流片９１は、梁部２により対称に所定間隔をもって支持された状態で外側上下方向及び内側上下方向で斜面９３，９４を形成する。
【００５３】
外側上下方向の斜面９３は、ミストを斜面９３に沿って曲げて上方に流す機能を奏する。また、内側の斜面９４は、ミストが付着して水滴になった場合に、当該水滴が斜面９４を伝って下方に流す。このように、本発明において、湾曲面と斜面とは略同じ機能を備えたものとなる。実施の形態２〜６に係る湾曲面を斜面に代えた構成は図示省略する。
【００５４】
（ミストスクリーンの構成例）
次に、上記ミストスクリーン連結具を用いるミストスクリーン形成装置の一例を具体的に説明する。なお、以下に記す参照符号は図２５Ａ１以下の図中に示した参照符号を示すものとする。本発明の実施の形態１〜４に係るミストスクリーン連結具は、以下のミストスクリーン形成装置を横並びに配置する際に以下に説明するミスト層ＭＳを連結するものとして使用するのが好ましい。また、本発明の実施の形態５および６に係るミストスクリーン形成装置として以下に示す構成を備えたものを用いることで、安定したミストスクリーンをきれいに連結できるようになる。
【００５５】
図２５Ａ１は、本発明に係るミストスクリーン形成装置を示す概念図であり、（ａ）は正面図、（ｂ）は側面図である。図２５Ａ２は、本発明ミストスクリーンの形成態様を示す概念図である。このミストスクリーン形成装置１０００は、装置の上方にミストスクリーンＳを形成するものであり、水タンク１００１から供給された水を用いてミストを発生させるミスト発生装置１と、前記発生させたミストを整流するミスト整流器２と、整流後のミストを上方の空間上に所定のスクリーン形状で吐出させるミストガイド３と、エアを上方に噴出すると共に前記エアを所定のスクリーン形状で前記ミストと同方向に噴出するエアガイド４を前記ミストガイド３の両側に設けたエア噴出装置５とから構成される。なお、このミストスクリーンＳに対しては汎用のプロジェクターＰにより画像を投射する。
【００５６】
図２５Ａ２に示したように、形成されるミストスクリーンＳは、装置上方にスクリーン状ないし膜状にミストが噴出されると共にその両側に膜状のエアが噴出されて、スクリーン厚さ方向でエア層ＡＳ、ミスト層ＭＳ、エア層ＡＳからなる三層構造を形成する。エア層ＡＳでミスト層ＭＳを挟むことで、ミストが上方（流れの下流）で拡散することを防止できるので、ミストスクリーンＳを安定化でき、映像をきれいに形成できる。本発明の具体的な実施の形態を以下に示す。
【００５７】
図２５Ａ３は、本発明の実施の形態１に係るミストスクリーン形成装置を示す構成図である。図２５Ａ４は、図２５Ａ３に示したミストスクリーン形成装置の側面図である。図２５Ａ５は、図２５Ａ３のＡ−Ａ断面図である。図２５Ａ６は、図２５Ａ３のＢ−Ｂ断面図である。このミストスクリーン形成装置１００は、本体筐体１０１の内部下方中央に配置されたミスト発生装置１と、当該ミスト発生装置１の上部に配置された前記発生させたミストを整流するミスト整流器２と、当該ミスト整流器２の上部に配置された整流後のミストを上方の空間上にスクリーン状に噴出させるミストガイド３と、前記ミスト発生装置１の両側に配置され且つエアを上方に噴出すると共に前記エアをスクリーン状に噴出するエアガイド４を前記ミストガイド３の両側に設けたエア噴出装置５とから構成される。これらは前記本体筐体に内設される。本体筐体１０１は、金属板で形成された全体が一方向に長い略直方体であり上部の長手方向が斜面１０１ａとなる。エアガイド４とミストガイド３によりガイド部６が構成される。
【００５８】
上記各図及び図２５Ａ７の一部拡大断面図に示すように、前記ミスト発生装置１は、発生したミストを一時的に貯留する全体が一方向に長い直方体の筐体１１と、当該筐体１１の下部に配置されたミストを発生させる超音波振動子駆動ユニット１２と、タンク１２の上部で且つ超音波振動子１３の直上に設けられると共に全体が略筒状であり、側面視にて円錐台形状で側面に超音波振動子１３に噴霧液を供給させるための穴１５を有し上下開口した噴霧ノズル１４と、前記筐体１１の側面の両側に設けた遠心ファン４０とを有する。前記１１の底には前記１２と１４が沈む程度の水位まで噴霧液が貯留され、前記１４の下に取付けられた超音波振動子１３によって噴霧液がミスト化される。前記筐体１１内は、仕切り板１５により二分割される。
【００５９】
図２５Ａ８乃至図２５Ａ１１は、ミストスクリーン形成装置の分解図である。図２５Ａ８は、筐体からエア噴出装置を取り外した状態を示す三面図である。図２５Ａ９−１及び図２５Ａ９−２は、ミストガイド及びエアガイドを取り外した状態を示す外観図及び断面図である。図２５Ａ１０は、ミスト整流器の貯留室を取り外した状態を示す外観図及び断面図である。図２５Ａ１１は、中板を取り外した状態を示す外観図及び断面図である。
【００６０】
図２５Ａ１１（Ｃ）及び（ｄ）に、ミスト発生装置１との隔壁となる天板を露出した状態を示す。このように、前記筐体１１の上部は、ミスト発生装置１との連結のため天板１６に矩形の開口１７が設けられる。この開口１７は、長手方向の中心軸に対して一方側に偏在する。また、当該筐体１１の側面の両側に遠心ファン４０を設けたのは、分割した筐体１１内の各区画にそれぞれエアを送り込むためである。また、前記超音波振動子１３には前記１２から所定周波数の電力が供給される（図示省略）。また、筐体１１の下部には給水口が接続され、当該給水口はポンプを介して噴霧液タンク１００１に接続される（図示省略）。
【００６１】
ミスト発生装置１の上部には、ミスト整流器２が配置されている。ミスト整流器２は、図２５Ａ８乃至図２５Ａ１１に示すように、通路室２１と貯留室２２とからなり、短手方向の断面形状が略三角形ないし山形である。ミスト整流器２は、図２５Ａ１２の通路模式図や図２５Ａ９−２（ｄ）に示すように、内部でミストの通路２３を形成しており、具体的には長手方向略中央部分から左右両端方向に通路２３ａが形成され、その両端で折り曲げられて反転し、隔壁２４を介して前記通路２３ａと隣接する通路２３ｂが形成される。
【００６２】
換言すれば、長手方向直方体の長手方向中央に仕切り板（隔壁２４）が設けられ且つ当該仕切り板が両端で開放され、ミストが中央位置から両側に流れ再び中央方向に戻る通路２３を形成する。かかる通路２３を形成するため、ミスト整流器２の筐体２１の内部は、中央長手方向の中央に隔壁２４が設けられ、その両端は筐体２１の両端側面に対して空隙を形成し、且つこの筐体２０の長手方向両端には水平方向に湾曲してミストの流れをよくする湾曲板２５が設けられる。
【００６３】
より詳細には、図２５Ａ１０（ｃ）に示すように、筐体２１の天板２５の下面には、前記隔壁２４が設けられる。また、隔壁２４は、中板２６の長手方向中央に設けられる。更に、図２５Ａ１１（ｄ）に示すように、中板２６を取り外すと前記筐体２１の底板１６が露出して、前記導入口２８（開口１７）が露出する。
【００６４】
次に、前記ミスト発生装置１の開口１７と連結する部分には、当該開口１７に被さるように且つ所定形状の矩形のミスト導入口２８が設けられた底板２７が接続される。そして、前記ミスト導入口２８は、底板２７の長手方向隔壁の片側に位置する。また、図２５Ａ１０（ｄ）に示すように、筐体２１の中板２６には、複数の穴２９が略直線状に設けられる。この穴２９は、長手方向中央が小さく、両端部にいくにつれて大きくなる。これは、両端部から流れてくるミストが通路中央でぶつかることから当該通路中央での圧力が高くなるため、当該通路中央の穴２９を小さくし、中央に比べて圧力が低い両端側の穴２９を大きくすることで、上部に設けた貯留室２２へのミストの移動を均一化するためである。
【００６５】
最も中央位置の穴２９と最も端部側の穴２９との間には、面積比で２倍から３倍の差を設けるのが好ましい。このようにすれば、圧力の差が通路２３内で生じても、貯留室２２へのミストの移動を均一に行える。また、本実施の形態では、穴２９は長手方向左右対称に４個ずつであり、穴２９と穴２９との間隔は、第一の穴２９ａと第二の穴２９ｂとの間隔が、第二の穴２９ｂと第三の穴２９ｃとの間隔、第三の穴２９ｃと第四の穴２９ｄとの間隔よりも広い。これは、中央に穴２９を寄せると、ミストが中央に集中しすぎるためである。また、中央の第一の穴２９ａから第四の穴２９ｄまで、穴２９の短手方向の位置は略一致する。後述する吐出口の略直下に寄せるためである。
【００６６】
貯留室２２は、例えば図２５Ａ９−２（ｃ），（ｄ）に示すように、断面が略三角形状でありその頂部には帯状の吐出口７１が設けられる。吐出口７１の短手方向の寸法（厚さ）がミストスクリーンＳの投影面の厚さとなる。貯留室２２は、断面を略三角形又は山形にすることで、滞留するミストが生じ難くなる。そして、吐出口７１を絞ることで所望の流速を得る。吐出口７１の厚さ（帯幅）は、ミストスクリーンＳが形成できるだけの厚さが必要であり、反対に厚すぎるのも好ましくない。特に、背面投射型のスクリーンとして用いる場合、映像がぼやけてしまうので、吐出口７１の厚さは、少なくとも投射範囲で均一な厚さになるようにすると共にミストの流速も当該厚さを保持できる速度になるように設定する。
【００６７】
前記エア噴出装置５は、図２５Ａ５に示すように、前記ミスト発生装置１の両側に配置されている。エア噴出装置５は、ミストを含まないエアを上方に噴出する装置であり、前記ミスト発生装置１に連結するように設けた筐体５１と、筐体５１の側面に設けた複数の軸流ファン５２と、筐体５１の上部に開口したエア噴出口５３とから構成される。エア噴出口５３は、前記本体筐体１０１の形状に合わせて傾斜しており、且つ、前記貯留室２２の山形形状の斜面に沿った形となる。このエア噴出装置５は、ミスト発生装置１により両側に略分離した構造になるが、図２５Ａ６に示すように、ミスト発生装置１の遠心ファン４０の周囲の空間において内部空間が連結しており、よって前記軸流ファン５２による風は、両方のエア噴出装置５の筐体５１内に供給される。これにより、エア噴出装置５から噴出するエアがより均一になる。
【００６８】
なお、上記エア噴出装置５及びミスト発生装置１は、本体筐体１０１内に構成できれば、筐体同士を個別独立したものにしても良いし、一部の板金が共用になる構造であっても良い。即ち、ミスト発生装置１の両側にエア噴出装置５を構成できれば、具体的な筐体の構造は同図に示す例に限定されない。
【００６９】
ミストガイド３は、図２５Ａ６に示すように、前記ミスト整流器２の吐出口７１に連設されている。また、ミストガイド３は、図２５Ａ１３の拡大図（同図（ａ）が断面図、（ｂ）が一部平面図である。）に示すように、その両側にエア噴出装置５のエアガイド４を構成する。同図の例では、ミストガイド３及びエアガイド４が一体構成となったガイド部６として構成されており、正六角形の筒状体を多数規則的に並べたように形成したハニカム構造体となる。筒状体のひとつひとつがガイドの役割を備えており、本構成では、前記吐出口７１の直上に位置する筒状体がミストガイド３となり（図２５Ａ１３（ｂ）では一点鎖線で囲った部分）、前記エア噴出口５３の直上に位置する筒状体がエアガイド４となる。
【００７０】
ハニカム構造の厚さ（筒状体の長さ）は、乱れた状態で侵入してきたミスト及びエアをガイドして流れを整え、ガイド部６の直上に噴出できるように設定するものとする。これにより、ミストスクリーンＳは、図２５Ａ２に示したように、エア層ＡＳ、ミスト層ＭＳ、エア層ＡＳの三層構造となって噴出される。同図の構成では、ミスト層ＭＳの厚さに対してエア層ＡＳの厚さを大きくしている。具体的には、ミスト層ＭＳの２倍以上（１０倍以下）の厚さのエア層ＡＳを形成する。ミスト層ＭＳが厚いと背面投射による画像形成時に画像を視認し難くなるため、薄いほうが好ましい。
【００７１】
ミストガイド３は、断面が六角形の筒状体からなるハニカム構造に限定されない。例えば、図２５Ａ１４（ａ）に示すように、断面が四角形状の筒状体６１を多数規則的に並べたハニカム構造にしても良い。また、図２５Ａ１４（ｂ）に示すように、断面形状が三角形状の筒状体６２を多数規則的に並べたハニカム構造でもよい。更に、図２５Ａ１４（ｃ）に示すように、内部に整流フィン６３を設けた帯状の筒状体６４を幅方向に連接したハニカム構造でもよい。なお、本願のハニカム構造には、少なくとも図２５Ａ１４に示す構造を含むものとする。ミストガイド３の高さは、ミストおよびエアを安定した流れにできるだけの寸法が必要である。各筒状体の断面積は、小さくすることでガイド効果が高まるが、小さくしすぎると筒状体内に付着した水滴によってミスト流れが阻害されるため、２０ミリ平方メートル〜４０ミリ平方メートルとするのが好ましい。
【００７２】
また、このミストスクリーン形成装置１００は、ミスト発生装置１のミストの発生と遠心ファン４０の駆動の制御を行うミスト制御部と、エア噴出装置５の軸流ファン５２の駆動制御を行うエア制御部とを有する。ミスト制御部は、前記筐体１１に取付けられた水位センサ（図示省略）の出力によって筐体１１内の水位を検知しながらポンプを駆動して筐体１１内の水位を一定範囲内に制御すると共に、超音波振動子駆動ユニット１２へ電力の供給を行いミストの発生量を調整する。また、風量調整可能な遠心ファン４０の駆動を行い、吐出口７１からのミスト吐出量や速度を制御する。エア制御部は、軸流ファン５２の駆動を制御することでエア噴出口５３から噴出するエアの量や速度を調整する。
【００７３】
次に、このミストスクリーン形成装置１００の動作について説明する。スクリーンを形成するにあたり、まず噴霧液タンク１００１からポンプを経由して筐体１１内に水を供給し、超音波振動子駆動ユニット１２を駆動して筐体１１内でミストを発生させる。このミストは噴霧ノズル１４の先端から筐体１１内に噴出する。筐体１１内には、遠心ファン４０により強力にエアが導入されている。筐体１１内のミストは、上部の開口１７（ミストの導入口２８）からミスト整流器２内に移動する。
【００７４】
ミスト整流器２内に移動したミストは、内部の通路２３をまず中央付近から左右の両端に向かって流れ、当該両端の湾曲板２５で滑らかに反転して再び中央に戻る。そして、両側からのミスト流は通路２３の中央付近でぶつかり合う。この通路２３の流れの中で、通路２３の上部に設けた複数の穴２９からミストが貯留室２２に移動する。当該複数の穴２９は、両端側のものが面積が大きく、中央にいくにしたがって小さくなるので、貯留室２２には、均一にミストが供給される。ミストが貯留室２２に溜まると、その内圧によりミストが吐出口７１から一定の流速をもって吐出される。吐出されたミストは、ミストガイド３によりガイドされて流れがきれいになり、その上端から上方にスクリーン状に噴出される。
【００７５】
一方、エア噴出装置５では、多数の軸流ファン５２が駆動されて筐体５１内にエアが大量に導入される。導入されたエアは、筐体５１の上部に開口したエア噴出口５３から噴出して前記エアガイド４に至り、当該エアガイド４により流れが整えられて上端から上方に噴出される。このエアは、前記ミストによるスクリーンの両側面に噴出形成され、ミストのスクリーンをサンドイッチした状態を作る。エアの流速は、ミストの流速より早くさせるのが好ましい。流速調整は、エア制御部により軸流ファン５２の駆動をそれぞれ制御することで行う。
【００７６】
更に、エア噴出装置５は、エア層ＡＳによりミスト層ＭＳを挟み込んでミスト層ＭＳのミストの拡散を防止する。即ち、エア層ＡＳによりスクリーン状の空間を形成し、その内部にミストを閉じ込める。このようにすれば、ミスト層ＭＳの拡散が防止され、所望の高さまでミスト層ＭＳの厚さを維持できる。この結果、ミスト層ＭＳに投影する画像を上下方向（ミストの流れ方向）で安定させることができる。また、エア層ＡＳがミスト層ＭＳに対して厚いことから、使用環境での周囲のエアの流れ、例えばエアコンや人が移動したときに生じる風を受けても、エア層ＡＳの表層で当該風を吸収すると共に流れに取り込むことができるので、ミスト層ＭＳが使用環境のエアの状態に影響を受けにくい。特に、エア層ＡＳの流れが速く、厚いことでより効果が高まる。
【００７７】
このように形成したミストスクリーンＳに対し、プロジェクターＰにより映像を投射する。この投射光は、ミストスクリーンＳのエア層ＡＳを通過して、ミスト層ＭＳの当該プロジェクターＰ設置側の表面で反射し、所望の画像や映像を形成する。
【００７８】
（実施の形態２）
図２５Ａ１５は、本発明の実施の形態２に係るミストスクリーン形成装置を示す概念構成図である。図２５Ａ１６は、図２５Ａ１５に示したミストスクリーン形成装置を示す概念図である。このミストスクリーン形成装置１００は、下方向にミストスクリーンＳを形成するものであり、装置上側から、水タンクから供給された水を用いてミストを発生させるミスト発生装置２１０と、前記発生させたミストを整流するミスト整流器２２０と、整流後のミストを上方に所定の形状で噴出させるミストガイド２０３と、エアを上方に噴出すると共に前記エアを所定形状で噴出するエアガイド２０４を前記ミストガイド２０３の両側に設けたエア噴出装置２０５とを配置して構成される。このミストスクリーンＳに対しては汎用のプロジェクターにより画像を投射する。エアガイド２０４とミストガイド２０３とにより、ガイド部２０６が構成される。
【００７９】
ミスト発生装置２１０は、発生したミストを一時的に貯留する全体が一方向に長い直方体の筐体２１１と、当該筐体２１１の底面及び側面と仕切板２１２とで囲まれた噴霧液を貯留するタンク部２０１と、当該タンク２０１の底面に配置された超音波振動子駆動ユニット２１３と、超音波振動子駆動ユニット２１３の直上に設けられると共に全体が略筒状であり側面視にて円錐台形状で上下開口した噴霧ノズル２３０と、前記筐体２１１の側面に設けた遠心ファン２４０とを有する。 なお噴霧ノズル２３０と超音波振動子駆動ユニット２１３の接続部には超音波振動子が取付けられており（図示省略）、噴霧ノズル２３０の側面には超音波振動子に噴霧液が供給させるように穴を有する（図示省略）。
【００８０】
前記筐体２１１の下部の底板は、ミスト整流器２２０との連結のため開口している。また、前記超音波振動子駆動ユニット２１３は、所定周波数の電力を供給する駆動装置に接続される（図示省略）。また、タンク２０１の下部には、給水口が接続される。給水口はポンプを介して噴霧液タンクに接続される（図示省略）。
【００８１】
ミスト発生装置２１０の下部には、通路室２２１と貯留室２２２とからなるミスト整流器２２０が配置されている。ミスト整流器２２０は、図２５Ａ１６に示すように、短手方向の断面形状が略逆三角形ないし逆山形である。ミスト整流器２２０は、内部でミストの通路２２３を形成しており、前記筐体２１１の底板の下部に設けた開口が導入口２２８として連通している。通路２２３は、具体的には長手方向一端から他端方向に通路２２３が形成され、その他端で折り曲げられて反転し、隔壁２２４を介して前記通路と隣接する通路２２３が形成される。当該他端には水平方向に湾曲してミストの流れをよくする湾曲板２２５が設けられている。
【００８２】
前記経路２２３の筐体２１１の底板には、複数の穴２２９が設けられる。この穴２２９は、通路２２３の下流側が小さくなるように形成される。これは、ミストが、通路末端で壁にぶつかり当該通路末端での圧力が高くなるため、当該通路末端の穴２２９を小さくし且つ上流側の穴２２９を大きくすることで、さらに下部に設けた貯留室２２２へのミストの移動を均一化する。
【００８３】
貯留室２２２は、断面が略三角形状でありその下頂部には帯状の吐出口２７１が設けられる。吐出口２７１の短手方向の寸法（厚さ）がミストスクリーンＳの投影面の厚さとなる。貯留室２２２は、断面を略逆三角形又は逆山形にすることで、滞留するミストが生じない。そして、吐出口２７１を絞ることで所望の流速が得られる。吐出口２７１の厚さは、実施の形態１と同様の観点で設定する。
【００８４】
エア噴出装置２０５は、前記ミスト発生装置２１０の両側に一定間隔だけ離れて配置されている。エア噴出装置２０５は、エアを下方に噴出する構造であり、箱型の筐体２５１と、当該筐体２５１の側面に設けた複数の軸流ファン２５２と、前記筐体２５１の下部に開口したエア噴出口２５３とから構成される。
【００８５】
ミストガイド２０３は、前記ミスト整流器２２０の吐出口２７１に連設されている。また、エアガイド２０４は、前記エア噴出装置２０５のエア噴出口２５３に連設されている。更に、前記ミストガイド２０３及びエアガイド２０４は、図２５Ａ１７（ａ）に示すように、ミストガイド３の両側に一定間隔離れてエアガイド２０４を構成する。同図の例では、ミストガイド２０３及びエアガイド２０４が一体構成となっており、正六角形の筒状体を多数規則的に並べたように形成したハニカム構造体となる。筒状体のひとつひとつがガイドの役割を備えており、本構成では、図２５Ａ１７（ｂ）に示すように、前記吐出口２７１の直下に位置する筒状体がミストガイド２０３となり、前記エア噴出口２５３の直下に位置する筒状体がエアガイド２０４となる。ミストガイド２０３とエアガイド２０４との間には、筒状体は設けられていない（ガイドなし領域２６０）。
【００８６】
ハニカム構造の厚さ（筒状体の長さ）は、乱れた状態で侵入してきたミスト及びエアをガイドして流れを整え、ミストガイド２０３の直下に噴出させるように設定するものとする。これによりミストスクリーンＳは、図２５Ａ１７（ｃ）に示すように、エア層ＡＳ、中間層ＴＳ、ミスト層ＭＳ、中間層ＴＳ、エア層ＡＳの五層構造となる。前記中間層ＴＳは、ミスト層ＭＳとエア層ＡＳとの間に生じるエアの流れを積極的に生じさせていない空間領域である。
【００８７】
同図の構成では、ミスト層ＭＳの厚さに対してエア層ＡＳの厚さを大きくしている。具体的には、ミスト層ＭＳの２倍以上（１０倍以下）の厚さのエア層ＡＳを形成する。ミスト層ＭＳが厚いと背面投射による画像形成時に画像を視認し難くなるため、薄いほうが好ましい。なお、ミストガイド２０３は、断面が六角形の筒状体からなるハニカム構造に限定されない。
【００８８】
次に、このミストスクリーン形成装置２００の動作について説明する。噴霧液タンクからタンク２０１に水を供給し、超音波振動子を駆動してタンク内でミストを発生させる。このミストは噴霧ノズル２０３の先端から筐体２１１内に噴出される。筐体２１１内は、遠心ファン２０４により強力にエアが導入されている。
【００８９】
筐体２１１内のミストは、下部の開口（ミストの導入口２２８）からミスト整流器２２０内に移動する。ミスト整流器２２０内に移動したミストは、通路２２３の一端から進み、他端の湾曲板２２５できれいに反転して戻るように流れ、一端の壁にぶつかる。そして、当該通路２２３を流れてきたミストは、通路２２３の下部に設けた複数の穴２２９から貯留室２２２に移動する。当該複数の穴２２９は、上流側が面積が大きく、下流になるほど小さくなるので、貯留室２２２には、均一にミストが供給される。ミストが貯留室２２２に溜まると、その内圧によりミストが吐出口２７１から一定の流速をもって吐出される。吐出されたミストは、ミストガイド２０３によりガイドされて流れが均一化され、下方にスクリーン状に噴出する。
【００９０】
一方、エア噴出装置２０５では、多数の軸流ファン２５２が駆動されて筐体２５１内にエアが大量に導入される。導入されたエアは、筐体２５１下部に開口したエア噴出口２５３から噴出して前記エアガイド２０４に至る。噴出したエアは、エアガイド２０４により流れが整えられてエアガイド２０４の下端から下方に噴出される。このエアは、前記ミストによるスクリーンの両側面に噴出形成され、ミストのスクリーンを中間層ＴＳを介して挟んだ状態を形成する。エアの流速はミストの流速と略一致させるのが好ましい。流速調整は、エア制御部により軸流ファン２５２の駆動をそれぞれ制御することで行う。
【００９１】
このようにすれば、エア層ＡＳにより、エアコンや人が移動したときに生じる使用環境における風を受けても、エア層ＡＳの表層で当該風を吸収すると共に流れに取り込むことができるので、使用環境の風の流れに影響を受けにくい。更に、エア層ＡＳとミスト層ＭＳとの間には中間層ＴＳが形成されているので、当該部分がバッファとなって、エア層ＡＳの乱れの影響をミスト層ＭＳが受け難くなる。
【００９２】
このように形成したミストスクリーンＳに対し、プロジェクターＰにより映像を投射する。この投射光は、ミストスクリーンＳのエア層ＡＳを通過して、ミスト層ＭＳの当該プロジェクターＰ設置側の表面で反射し、所望の画像や映像を形成する。
【００９３】
（実施の形態３）
図２５Ａ１８は、本発明の実施の形態３に係るミストスクリーン形成装置を示す一部構成図である。このミストスクリーン形成装置は、上記実施の形態１に係るミストスクリーン形成装置１００と略同一の構成であるが、形成するエア層ＡＳをミスト層ＭＳの両側でそれぞれ二層に形成する点に特徴がある。
【００９４】
同図には、エア層ＡＳを二層に形成するためのガイド部の平面図を示す。このガイド部３６０は、実施の形態１に示したガイド部６と略同一の構成であってエア噴出装置５のエア噴出口５３に配置されるところ、ミスト層ＭＳ側の内エア層ＡＳを形成する内領域３５０と、外側になる外エア層ＡＳを形成する外領域３５１とを備え、噴出の結果として形成される中間層ＴＳに対応する中間領域３５２には、前記筒状体は設けられない。即ち、実施の形態１のガイド部６のエアガイド４に相当する部分に、中間領域３５２を設けて当該中間領域３５２に筒状体を設けず（蓋をするのと同様の状態）を作り、エア噴出装置５のエア噴出部５３からエアを噴出する。その他の構成は、実施の形態１と同様であるので図示及び説明を省略する。なお、内領域３５０と外領域３５１を形成する各筒状体の大きさを異なるものとしても良いし、長さを異なるものとしても良い。ミスト層ＭＳを形成する部分は、ミスト層形成領域３５３である。
【００９５】
図２５Ａ１９は、図２５Ａ１８に示したガイド部により形成したミストスクリーンＳの構造を示す模式図である。このガイド部３６０を用いてミスト整流器２からミストスクリーンＳを形成し、この両側にガイド部の内領域３５０により内エア層ＡＳ１を形成する。この状態で、実施の形態１と略同様にミスト層ＭＳの両側に内エア層ＡＳ１を形成して当該ミスト層ＭＳを挟んだ状態を形成する。内エア層ＡＳ１は、上記実施の形態１のエア層ＡＳと同様の作用効果を備えている。すなわち、内エア層ＡＳ１によりミスト層ＭＳを挟み込んでミスト層ＭＳのミストの拡散を防止し、所望の高さまでミスト層ＭＳの厚さを維持できる。この結果、ミスト層ＭＳに投影する画像を上下方向（ミストの流れ方向）で安定させることができる。
【００９６】
更に、外領域により外エア層ＡＳ２を形成する。外エア層ＡＳ２は、外部のエアコンや扇風機の風の流れを吸収して上方に押し上げる。外エア層ＡＳ２と内エア層ＡＳ１との間にはバッファとなる中間層ＴＳが形成されるので、外エア層ＡＳ２の流れの乱れの影響を受けにくい。中間層ＴＳの厚さ（幅）は、大きくするほど外部環境の風による影響を抑制できる。
【００９７】
（実施の形態４）
図２５Ａ２０は、本発明の実施の形態４に係るミストスクリーン形成装置を示す構成図である。前記実施の形態３の構成における前記中間層ＴＳを無くし（内エア層ＡＳ１と外エア層ＡＳ２とを隣接させ）、更に、内エア層ＡＳ１と外エア層ＡＳ２とのそれぞれにエアを噴出するエア噴出装置５とエア噴出口５３を個別に設けても良い。同図に示すように、このミストスクリーン形成装置では、上記実施の形態と略同一構成となるエア噴出装置５ａ、エア噴出装置５ｂがミスト発生装置及びミスト整流器２の両側にそれぞれ設けられる。
【００９８】
エア噴出装置５ａのエア噴出口とエア噴出装置５ｂのエア噴出口とは、吐出口７１の両側に併設されている。ガイド部６は、上記同様、断面が六角形の筒状体を多数並べたハニカム構造である。前記吐出口７１の直上に位置する筒状体がミストガイド３となり、前記エア噴出口５３ａの直上に位置する筒状体が内エア層ＡＳ１用のエアガイド４ａとなる。前記エア噴出口５３ｂの直上に位置する筒状体が外エア層ＡＳ２用のエアガイド４ｂとなる。
【００９９】
ミスト発生装置で発生したミストはミスト整流器２で整流され、吐出口７１からミストガイド３によりスクリーン状に吐出される。エア噴出装置５ａとエア噴出装置５ｂとは、それぞれエアをエア噴出口５３ａ及びエア噴出口５３ｂから噴出し、内エア層ＡＳ１及び外エア層ＡＳ２を形成する。この内エア層ＡＳ１及び外エア層ＡＳ２は、ミスト層ＭＳをサンドイッチした状態を作る。
【０１００】
また、外エア層ＡＳ２の流速を内エア層ＡＳ１の流速より早くするように、エア噴出装置５ａとエア噴出装置５ｂとの軸流ファンが駆動制御される。外エア層ＡＳ２の流速を内エア層ＡＳ１の流速より早くすることで、ミストスクリーン上部におけるエア層ＡＳ１の拡散を防止し、それに伴って内部のミスト層ＭＳの拡散が防止され、その結果、ミスト層ＭＳに投影する画像を上下方向（ミストの流れ方向）でより安定させることができる。
【０１０１】
更に、エア噴出装置５ａ内の筐体５１内部へ湿度の高いエア供給するための加湿器を設け（図示省略）、ミストにはならない程度の湿度の高いエアを吐出することで前記内エア層ＡＳ１を形成しても良い。このように、ミスト層ＭＳを高湿度の内エア層ＡＳ１で挟まれることになり、内エア層ＡＳ１に通常のエアを吐出した場合に比べ、ミスト層ＭＳと内エア層ＡＳ１の湿度勾配が少なくなってミスト層ＭＳの拡散が防止され、その結果、ミスト層ＭＳに投影する画像を上下方向（ミストの流れ方向）でより安定させることができる。
【０１０２】
（付記項１）
ミスト発生手段から供給を受けたミストをスクリーン状に吐出するミストスクリーン形成装置であって、
一方向にミストをスクリーン状に吐出して空間上にミスト層を形成するミスト吐出手段と、
ミストを含まないエアを前記ミストの吐出方向と略同一方向に且つ前記ミスト層の両側で噴出することで前記ミスト層を挟むエア層を形成するエア噴出手段と、
を備えたことを特徴とするミストスクリーン形成装置。
（付記項２）
前記ミスト吐出手段は、前記ミストを吐出する帯状のミスト吐出口を有し、前記エア噴出手段は、エアを吐出すると共に前記ミスト吐出口の両側に隣接して設けた帯状のエア噴出口を有することを特徴とする付記項１に記載のミストスクリーン形成装置。
（付記項３）
更に、筒状体を多数規則的に並べたように形成したハニカム構造体からなるミストガイドを、前記ミスト吐出口に連設したことを特徴とする付記項１又は２に記載のミストスクリーン形成装置。
（付記項４）
更に、筒状体を多数規則的に並べたように形成したハニカム構造体からなるエアガイドを、前記エア噴出口に連設したことを特徴とする付記項１〜３のいずれか一つに記載のミストスクリーン形成装置。
（付記項５）
更に、前記ミストを貯留する貯留部と、前記ミスト発生手段から供給を受けたミストを通す通路とを有すると共に、当該通路がミストを貯留する貯留部に連通する穴を複数有し、
前記ミスト吐出手段は、前記貯留部に貯留したミストをスクリーン状に吐出することを特徴とする付記項１〜４のいずれか一つに記載のミストスクリーン形成装置。
（付記項６）
更に、前記複数の穴は、前記通路内のミストの流れの下流の穴が上流の穴より小さいことを特徴とする付記項５に記載のミストスクリーン形成装置。
（付記項７）
更に、前記ミスト吐出手段は前記ミストを吐出する帯状のミスト吐出口を有し、
当該ミスト吐出口は前記貯留部に設けられると共に、
前記複数の穴は、前記ミスト吐出口の長手方向に略沿って配置されていることを特徴とする付記項６に記載のミストスクリーン形成装置。
【符号の説明】
【０１０３】
１００  ミストスクリーン連結具
１  整流片
２  梁部
３  湾曲面（外側面）
４  湾曲面（内側面）
５０  ミストスクリーン形成装置
【手続補正２】
【補正対象書類名】図面
【補正対象項目名】全図
【補正方法】変更
【補正の内容】
【図１】
2020034713.tif 000048
【図２】
2020034713.tif 000049
【図３】
2020034713.tif 000050
【図４】
2020034713.tif 000051
【図５】
2020034713.tif 000052
【図６】
2020034713.tif 000053
【図７】
2020034713.tif 000054
【図８】
2020034713.tif 000055
【図９】
2020034713.tif 000056
【図１０】
2020034713.tif 000057
【図１１】
2020034713.tif 000058
【図１２】
2020034713.tif 000059
【図１３】
2020034713.tif 000060
【図１４】
2020034713.tif 000061
【図１５】
2020034713.tif 000062
【図１６】
2020034713.tif 000063
【図１７】
2020034713.tif 000064
【図１８】
2020034713.tif 000065
【図１９】
2020034713.tif 000066
【図２０】
2020034713.tif 000067
【図２１】
2020034713.tif 000068
【図２２】
2020034713.tif 000069
【図２３】
2020034713.tif 000070
【図２４】
2020034713.tif 000071
【図２５Ａ１】
2020034713.tif 000072
【図２５Ａ２】
2020034713.tif 000073
【図２５Ａ３】
2020034713.tif 000074
【図２５Ａ４】
2020034713.tif 000075
【図２５Ａ５】
2020034713.tif 000076
【図２５Ａ６】
2020034713.tif 000077
【図２５Ａ７】
2020034713.tif 000078
【図２５Ａ８】
2020034713.tif 000079
【図２５Ａ９−１】
2020034713.tif 000080
【図２５Ａ９−２】
2020034713.tif 000081
【図２５Ａ１０】
2020034713.tif 000082
【図２５Ａ１１】
2020034713.tif 000083
【図２５Ａ１２】
2020034713.tif 000084
【図２５Ａ１３】
2020034713.tif 000085
【図２５Ａ１４】
2020034713.tif 000086
【図２５Ａ１５】
2020034713.tif 000087
【図２５Ａ１６】
2020034713.tif 000088
【図２５Ａ１７】
2020034713.tif 000089
【図２５Ａ１８】
2020034713.tif 000090
【図２５Ａ１９】
2020034713.tif 000091
【図２５Ａ２０】
2020034713.tif 000092